(57)【要約】【課題】機能を制御するための複数の設定項目を有する画像形成装置と前記画像形成装置と通信可能な携帯端末装置とを含む機能設定制御システムにおいて、設定項目に対応する設定内容を容易に確認可能にする。【解決手段】画像形成装置は、複数の設定項目情報と複数の設定内容情報とをそれぞれ対応付けて第１機能設定情報として記憶する設定情報記憶部と、第１機能設定情報に含まれる少なくとも一部の設定項目情報とこれに対応する設定内容情報とを含む第２機能設定情報を携帯端末装置に送信する機能設定情報送信部とを備え、携帯端末装置は、情報を表示する携帯側表示部と、画像形成装置から送信された情報を受信する携帯側受信部と、携帯側表示部に、第２機能設定情報に含まれる設定項目情報とこれに対応付けられた設定内容情報とを対応させて一画面で表示する一覧表示画面を表示させる表示制御部とを備える。【選択図】図１１
2014085924.tif 000002
【特許請求の範囲】
【請求項１】
機能を制御するための複数の設定項目を有する画像形成装置と前記画像形成装置と通信可能な携帯端末装置とを含む機能設定制御システムであって、
前記画像形成装置は、
前記複数の設定項目をそれぞれ示す複数の設定項目情報と、前記複数の設定項目にそれぞれ対応する設定内容を示す複数の設定内容情報とを、それぞれ対応付けて第１機能設定情報として記憶する設定情報記憶部と、
前記第１機能設定情報に含まれる前記複数の設定項目情報のうち少なくとも一部の設定項目情報と、前記少なくとも一部の設定項目情報に対応する前記設定内容情報とを含む第２機能設定情報を前記携帯端末装置に送信する機能設定情報送信処理を実行する機能設定情報送信部とを備え、
前記携帯端末装置は、
情報を表示する携帯側表示部と、
前記画像形成装置から送信された情報を受信する携帯側受信部と、
前記携帯側受信部によって受信された前記第２機能設定情報に基づいて、前記携帯側表示部に、前記第２機能設定情報に含まれる設定項目情報と、前記第２機能設定情報に含まれる設定項目情報に対応付けられた前記設定内容情報とを対応させて一画面で表示する一覧表示画面を表示させる一覧表示処理を行う表示制御部とを備える機能設定制御システム。
【請求項２】
前記画像形成装置は、
前記複数の設定項目情報のうち何れかを選択するための選択項目情報を記憶する選択項目記憶部と、
前記選択項目情報に基づいて、前記複数の設定項目情報のうち少なくとも一つを前記少なくとも一部の設定項目情報として選択する設定項目選択部とを更に備える請求項１に記載の機能設定制御システム。
【請求項３】
前記携帯端末装置は、
前記一覧表示画面に表示されている前記設定項目情報のうち、非表示にする対象の前記設定項目情報の入力操作を受け付ける非表示対象受付部と、
前記非表示対象受付部によって受け付けられた前記設定項目情報を非表示設定項目情報として前記画像形成装置に送信する非表示設定項目送信部と、
を更に備え、
前記画像形成装置は、
前記非表示設定項目送信部から前記非表示設定項目情報を受信する非表示設定項目受信部と、
前記非表示設定項目受信部によって受信された前記非表示設定項目情報によって示される前記設定項目情報を、前記選択項目情報によって前記選択する対象とされている前記設定項目情報の中から除外する選択項目除外部と、
を更に備える請求項２に記載の機能設定制御システム。
【請求項４】
前記画像形成装置は、
前記選択項目情報によって前記選択する対象とされている前記設定項目情報のうちに、前記第１機能設定情報に含まれる前記設定項目情報とは異なる前記設定項目情報がある場合、前記第１機能設定情報に含まれる前記設定項目情報とは異なる前記設定項目情報と、その設定項目情報によって示される設定項目が存在しないことを示す情報である設定不可情報と、を対応付けた機能設定不可情報を前記携帯端末装置に送信する機能設定不可情報送信部を更に備え、
前記携帯端末装置は、
前記表示制御部は、更に、前記携帯側受信部によって受信された前記機能実行不可情報に基づいて、前記機能設定不可情報に含まれる前記設定項目情報と、前記機能設定不可情報に含まれる前記設定項目情報に対応付けられた前記設定不可情報とを対応させて前記一覧表示画面に含めて表示させる請求項２又は３に記載の機能設定制御システム。
【請求項５】
前記画像形成装置は、
前記複数の前記設定項目にそれぞれ対応する設定内容の初期値として予め定められた複数の初期設定内容情報を記憶する初期設定情報記憶部を更に備え、
前記機能設定情報送信部は、前記機能設定情報送信処理において、更に、前記第２機能設定情報に含まれる前記設定項目情報のうちに、前記設定項目情報に対応する前記設定内容情報と前記初期設定内容情報とが異なる設定項目情報がある場合、前記設定内容情報と前記初期設定内容情報とが異なる設定項目情報と対応付けて警告を示す情報である警告情報を前記携帯端末装置に送信し、
前記表示制御部は、前記一覧表示処理において、前記警告情報に対応付けられた前記設定項目情報と、その設定項目情報に対応する設定内容情報とのうち少なくとも一つを識別可能に表示する請求項１から４の何れか一項に記載の機能設定制御システム。
【請求項６】
前記機能設定制御システムは、複数の前記画像形成装置を備え、
前記各画像形成装置の前記選択項目記憶部は、それぞれ同じ前記選択項目情報を記憶し、
前記携帯端末装置は、前記複数の画像形成装置のうち、前記通信の対象とする何れか一の前記画像形成装置を択一的に選択する操作を受け付ける通信対象受付部を更に備える請求項２から５の何れか一項に記載の機能設定制御システム。
【請求項７】
前記画像形成装置は、
前記複数の設定項目のうち何れかの設定項目に対応する前記設定内容情報の入力操作を受け付ける入力受付部と、
前記入力受付部によって受け付けられた前記何れかの設定項目に対応する前記設定内容情報を、前記設定情報記憶部に記憶された前記何れかの設定項目を示す設定項目情報に対応付けられた新たな設定内容情報として、前記設定情報記憶部に記憶させる設定情報更新処理を行う設定情報更新部と、
を更に備える請求項１から６の何れか一項に記載の機能設定制御システム。
【請求項８】
前記画像形成装置は、
前記設定情報更新処理によって前記新たに記憶された前記設定内容情報とその前記設定内容情報に対応する前記設定項目情報とを含む更新設定情報を前記携帯端末装置に送信する更新設定情報送信部を更に備え、
前記表示制御部は、更に、前記携帯側受信部によって前記更新設定情報が受信された場合、前記一覧表示画面に表示されている前記設定内容情報のうち、前記更新設定情報に含まれている前記設定項目情報と同じ前記設定項目情報に対応付けられた前記設定内容情報を、前記更新設定情報に含まれている前記設定内容情報によって置き換えて表示する請求項７に記載の機能設定制御システム。
【請求項９】
前記携帯端末装置は、
前記一覧表示画面に表示されている前記設定項目情報とその設定項目情報に対応付けられた前記設定内容情報との組み合わせの表示順の変更操作を受け付ける表示順変更受付部と、
前記表示順変更受付部によって受け付けられた前記表示順に基づいて、前記一覧表示画面に表示されている前記組み合わせの表示順を変更する表示順変更制御部と、
を更に備える請求項１から８の何れか一項に記載の機能設定制御システム。
【請求項１０】
機能を制御するための複数の設定項目を有し、携帯端末装置と通信可能な画像形成装置であって、
前記複数の設定項目をそれぞれ示す複数の設定項目情報と、前記複数の設定項目にそれぞれ対応する設定内容を示す複数の設定内容情報とを、それぞれ対応付けて第１機能設定情報として記憶する設定情報記憶部と、
前記第１機能設定情報に含まれる前記複数の設定項目情報のうち少なくとも一部の設定項目情報と、前記少なくとも一部の設定項目情報に対応する前記設定内容情報とを示す第２機能設定情報を前記携帯端末装置に送信する機能設定情報送信処理を実行する機能設定情報送信部とを備える画像形成装置。
【発明の詳細な説明】
【技術分野】
【０００１】
本発明は、機能を制御するための複数の設定項目を有する画像形成装置と前記画像形成装置と通信可能な携帯端末装置とを含む機能設定制御システム及び前記画像形成装置に関し、特に、前記画像形成装置における複数の設定項目及びその設定項目に対応する設定内容を携帯端末装置に表示させる技術に関する。
【背景技術】
【０００２】
従来から、コピー機能、スキャナー機能、及びファクシミリ機能等の複数の機能を実行可能な複合機と呼ばれる画像形成装置が知られている。また、このような画像形成装置において、スマートフォン等の携帯端末装置との間で通信を行う機能を備えているものが知られている。
【０００３】
例えば、下記特許文献１には、携帯端末機は、通信可能に接続された複合機から、複合機で実行可能な機能の一覧を受信して、各機能に対する属性情報の入力を行うためのユーザーインターフェース画面を表示する技術が開示されている。そして、携帯端末機は、ユーザーインターフェース画面の操作によって入力された各機能とその機能に対応する属性情報とを複合機に送信し、複合機は、携帯端末機から送信された各機能とその機能に対応する属性情報を受信して、当該受信した各機能とその機能に対応する属性情報に基づいて、各機能を実行する技術が開示されている。
【０００４】
また、下記特許文献２には、例えば印刷の枚数や濃度等、画像を形成するための各種条件を入力するために、階層的に展開される設定入力画面が設けられた画像形成装置が開示されている。また、この画像形成装置は、各設定入力画面にて入力された条件とその値を一覧表示する設定確認画面を備えており、この設定確認画面へは、操作パネル上の設定確認キーを押下することで、各設定入力画面から遷移することができることが開示されている。
【先行技術文献】
【特許文献】
【０００５】
【特許文献１】特開２００８−９２０７７号公報
【特許文献２】特開２００１−３４５９６５号公報
【発明の概要】
【発明が解決しようとする課題】
【０００６】
しかし、上記特許文献１に記載の技術を用いた場合、ユーザーは、携帯端末装置において機能を制御するための複数の設定項目にそれぞれ対応する設定内容を入力することはできるが、入力した設定内容の確認を行うためには、各設定内容毎に、各設定内容を入力するための操作画面を再び表示させるという煩わしい操作を行う必要があった。また、上記特許文献２に記載の技術を用いた場合、ユーザーは、複数の設定内容を入力している途中で既に入力した設定内容を確認するためには、設定内容を入力するための操作画面の表示を止めて、設定内容を一覧表示する画面を切り替えて表示させる必要があり、画面の表示を切り替える煩わしい操作を行う必要があった。
【０００７】
本発明は、このような事情に鑑みてなされたものであり、機能を制御するための複数の設定項目を有する画像形成装置と前記画像形成装置と通信可能な携帯端末装置とを含む機能設定制御システムにおいて、設定項目に対応する設定内容を容易に確認することができる機能設定制御システム及び画像形成装置を提供することを目的とする。
【課題を解決するための手段】
【０００８】
本発明に係る機能設定制御システムは、機能を制御するための複数の設定項目を有する画像形成装置と前記画像形成装置と通信可能な携帯端末装置とを含む機能設定制御システムであって、前記画像形成装置は、前記複数の設定項目をそれぞれ示す複数の設定項目情報と、前記複数の設定項目にそれぞれ対応する設定内容を示す複数の設定内容情報とを、それぞれ対応付けて第１機能設定情報として記憶する設定情報記憶部と、前記第１機能設定情報に含まれる前記複数の設定項目情報のうち少なくとも一部の設定項目情報と、前記少なくとも一部の設定項目情報に対応する前記設定内容情報とを含む第２機能設定情報を前記携帯端末装置に送信する機能設定情報送信処理を実行する機能設定情報送信部とを備え、前記携帯端末装置は、情報を表示する携帯側表示部と、前記画像形成装置から送信された情報を受信する携帯側受信部と、前記携帯側受信部によって受信された前記第２機能設定情報に基づいて、前記携帯側表示部に、前記第２機能設定情報に含まれる設定項目情報と、前記第２機能設定情報に含まれる設定項目情報に対応付けられた前記設定内容情報とを対応させて一画面で表示する一覧表示画面を表示させる一覧表示処理を行う表示制御部とを備える。
【０００９】
この構成によれば、画像形成装置は、第１機能設定情報に含まれる複数の設定項目情報のうち少なくとも一部の設定項目情報と、少なくとも一部の設定項目情報に対応する設定内容情報とを含む第２機能設定情報を携帯端末装置に送信することができる。携帯端末装置では、画像形成装置から受信した第２機能設定情報に含まれる設定項目情報と、第２機能設定情報に含まれる設定項目情報に対応付けられた設定内容情報とが対応付けて一覧表示画面に一覧表示される。
【００１０】
このため、ユーザーは、画像形成装置の操作を行わなくても、また、画像形成装置の操作を行っている最中であっても、一覧表示画面を見ることによって画像形成装置に設定されている設定項目のうち少なくとも一部の設定項目とその設定項目に対応する設定内容を容易に把握することができる。
【００１１】
また、前記画像形成装置は、前記複数の設定項目情報のうち何れかを選択するための選択項目情報を記憶する選択項目記憶部と、前記選択項目情報に基づいて、前記複数の設定項目情報のうち少なくとも一つを前記少なくとも一部の設定項目情報として選択する設定項目選択部とを更に備えることが好ましい。
【００１２】
この構成によれば、一覧表示画面に表示される設定項目の数が、設定項目選択部によって選択された設定項目情報の数に低減される。このため、一覧表示画面が視認しやすくなり、設定項目とその設定項目に対応する設定内容の確認作業の効率を向上することができる。したがって、例えば、設定内容を確認する必要があると考えられる設定項目を示す設定項目情報だけを選択するように、選択項目情報を選択項目記憶部に記憶することによって、一覧表示画面に表示される内容を、設定内容を確認する必要があると考えられる設定項目とその設定項目に対応する設定内容のみに制限して、設定内容の確認作業の効率を向上することができる。
【００１３】
また、前記携帯端末装置は、前記一覧表示画面に表示されている前記設定項目情報のうち、非表示にする対象の前記設定項目情報の入力操作を受け付ける非表示対象受付部と、前記非表示対象受付部によって受け付けられた前記設定項目情報を非表示設定項目情報として前記画像形成装置に送信する非表示設定項目送信部と、を更に備え、前記画像形成装置は、前記非表示設定項目送信部から前記非表示設定項目情報を受信する非表示設定項目受信部と、前記非表示設定項目受信部によって受信された前記非表示設定項目情報によって示される前記設定項目情報を、前記選択項目情報によって前記選択する対象とされている前記設定項目情報の中から除外する選択項目除外部と、を更に備えることが好ましい。
【００１４】
この構成によれば、ユーザーは、設定内容の確認が不要と考えられる設定項目を示す設定項目情報を非表示にする対象として入力操作することによって、当該設定項目情報が選択項目情報によって選択する対象とされている設定項目情報の中から除外される。
【００１５】
これによって、当該除外が行われた以降は、非表示にする対象として入力された設定項目情報は、設定項目選択部によって第２機能設定情報に含まれる少なくとも一部の設定項目情報として選択されることがなくなる。したがって、ユーザーは、設定内容の確認が不要と考えられる設定項目を示す設定項目情報とその設定項目情報に対応する設定内容情報が非表示にされた一覧表示画面を目視することによって、設定内容の確認作業の効率を向上することができる。
【００１６】
また、前記画像形成装置は、前記選択項目情報によって前記選択する対象とされている前記設定項目情報のうちに、前記第１機能設定情報に含まれる前記設定項目情報とは異なる前記設定項目情報がある場合、前記第１機能設定情報に含まれる前記設定項目情報とは異なる前記設定項目情報と、その設定項目情報によって示される設定項目が存在しないことを示す情報である設定不可情報と、を対応付けた機能設定不可情報を前記携帯端末装置に送信する機能設定不可情報送信部を更に備え、前記携帯端末装置は、前記表示制御部は、更に、前記携帯側受信部によって受信された前記機能実行不可情報に基づいて、前記機能設定不可情報に含まれる前記設定項目情報と、前記機能設定不可情報に含まれる前記設定項目情報に対応付けられた前記設定不可情報とを対応させて前記一覧表示画面に含めて表示させることが好ましい。
【００１７】
例えば、ソートやステープル等の後処理装置に備えられた機能を制御するための設定項目を示す設定項目情報が、選択項目情報によって選択する対象とされている設定項目情報として含まれている場合に、画像形成装置が後処理装置を備えていないときや、後処理装置が画像形成装置から離脱されたときは、後処理装置に備えられた機能を制御するための設定項目に対応する設定内容を設定不可能な状態になる。このとき、後処理装置に備えられた機能を制御するための設定項目を示す設定項目情報とその設定項目情報に対応する設定内容情報が設定情報記憶部に記憶されなくなる虞がある。
【００１８】
このような場合、上記の機能設定制御システムの構成によれば、選択項目情報によって選択する対象とされている設定項目情報のうち、第１機能設定情報に含まれる設定項目情報とは異なる設定項目情報と、その設定項目情報によって示される設定項目が存在しないことを示す情報である設定不可情報とが対応付けられた機能設定不可情報が、携帯端末装置に送信される。そして、一覧表示画面には、機能設定不可情報に含まれる設定項目情報と機能設定不可情報に含まれる設定項目情報に対応する設定不可情報とが対応付けられて一覧表示画面に表示される。
【００１９】
このため、ユーザーは、一覧表示画面に表示された設定不可情報を視認することによって、当該設定不可情報に対応する設定項目に対応する設定内容を設定不可能であることを容易に把握することができる。
【００２０】
また、前記画像形成装置は、前記複数の前記設定項目にそれぞれ対応する設定内容の初期値として予め定められた複数の初期設定内容情報を記憶する初期設定情報記憶部を更に備え、前記機能設定情報送信部は、前記機能設定情報送信処理において、更に、前記第２機能設定情報に含まれる前記設定項目情報のうちに、前記設定項目情報に対応する前記設定内容情報と前記初期設定内容情報とが異なる設定項目情報がある場合、前記設定内容情報と前記初期設定内容情報とが異なる設定項目情報と対応付けて警告を示す情報である警告情報を前記携帯端末装置に送信し、前記表示制御部は、前記一覧表示処理において、前記警告情報に対応付けられた前記設定項目情報と、その設定項目情報に対応する設定内容情報とのうち少なくとも一つを識別可能に表示することが好ましい。
【００２１】
この構成によれば、ユーザーは、一覧表示画面に識別可能に表示されている、設定項目情報とその設定項目情報に対応する設定内容情報のうち少なくとも一つを視認することによって、画像形成装置において、その設定項目情報によって示される設定項目に対応する設定内容が、初期値とは異なる設定内容に設定されていることを容易に把握することができる。
【００２２】
また、前記機能設定制御システムは、複数の前記画像形成装置を備え、前記各画像形成装置の前記選択項目記憶部は、それぞれ同じ前記選択項目情報を記憶し、前記携帯端末装置は、前記複数の画像形成装置のうち、前記通信の対象とする何れか一の前記画像形成装置を択一的に選択する操作を受け付ける通信対象受付部を更に備えることが好ましい。
【００２３】
この構成によれば、画像形成装置が異なっても、各画像形成装置の選択項目記憶部には、それぞれ同じ選択項目情報が記憶されているので、一覧表示画面には、同じ選択項目情報によって選択する対象とされている、同じ設定項目情報及びその設定項目情報に対応する設定内容情報が表示される。したがって、設定内容情報の確認を行うための操作方法が画像形成装置毎に異なる場合であっても、ユーザーは、各操作方法に精通する必要はなく、通信対象受付部によって受け付けられた通信対象の画像形成装置における、選択項目情報によって選択する対象とされている同じ設定項目情報及びその設定項目情報に対応する設定内容情報を容易に確認することができる。
【００２４】
また、前記画像形成装置は、前記複数の設定項目のうち何れかの設定項目に対応する前記設定内容情報の入力操作を受け付ける入力受付部と、前記入力受付部によって受け付けられた前記何れかの設定項目に対応する前記設定内容情報を、前記設定情報記憶部に記憶された前記何れかの設定項目を示す設定項目情報に対応付けられた新たな設定内容情報として、前記設定情報記憶部に記憶させる設定情報更新処理を行う設定情報更新部と、を更に備えることが好ましい。
【００２５】
この構成によれば、入力受付部によって何れかの設定項目に対応する設定内容情報の入力操作が受け付けられると、設定情報更新部によって、設定情報記憶部に記憶されている前記何れかの設定項目に対応する設定内容情報が、当該受け付けられた設定内容情報に更新される。したがって、当該更新された設定内容情報が第２機能設定情報に含まれる場合には、当該更新された設定内容情報が機能設定情報送信部によって携帯端末装置に送信される。この場合、ユーザーは、一覧表示画面に表示された当該更新された設定内容情報を目視することによって、当該更新された設定内容情報に対応する設定項目情報によって示される設定項目の設定内容が画像形成装置において更新されたことを把握することができる。
【００２６】
また、前記画像形成装置は、前記設定情報更新処理によって前記新たに記憶された前記設定内容情報とその前記設定内容情報に対応する前記設定項目情報とを含む更新設定情報を前記携帯端末装置に送信する更新設定情報送信部を更に備え、前記表示制御部は、更に、前記携帯側受信部によって前記更新設定情報が受信された場合、前記一覧表示画面に表示されている前記設定内容情報のうち、前記更新設定情報に含まれている前記設定項目情報と同じ前記設定項目情報に対応付けられた前記設定内容情報を、前記更新設定情報に含まれている前記設定内容情報によって置き換えて表示することが好ましい。
【００２７】
この構成によれば、設定情報記憶部に新たに記憶された設定内容情報とその設定内容情報に対応する設定項目情報とを含む更新設定情報が携帯端末装置に送信される。そして、表示制御部によって、一覧表示画面に表示されている設定内容情報のうち、当該更新設定情報に含まれている設定項目情報と同じ設定項目情報に対応付けられた設定内容情報が、当該更新設定情報に含まれている設定内容情報に置き換えて表示される。
【００２８】
このため、携帯端末装置に送信される情報量を、新たに記憶された設定内容情報及びその設定内容情報に対応する設定項目情報の情報量に軽減することができるとともに、一覧表示画面の表示にかかる時間を、一覧表示画面に表示されている設定内容情報のうちの一部の表示を更新させるのにかかる時間に軽減することができる。これによって、画像形成装置において何れかの設定項目に対応する設定内容情報が更新された場合に、迅速に、画像形成装置において更新された設定内容情報を一覧表示画面に反映させることができる。
【００２９】
また、前記携帯端末装置は、前記一覧表示画面に表示されている前記設定項目情報とその設定項目情報に対応付けられた前記設定内容情報との組み合わせの表示順の変更操作を受け付ける表示順変更受付部と、前記表示順変更受付部によって受け付けられた前記表示順に基づいて、前記一覧表示画面に表示されている前記組み合わせの表示順を変更する表示順変更制御部と、を更に備えることが好ましい。
【００３０】
この構成によれば、ユーザーは、例えば、設定内容情報の確認作業を行う順番に、設定項目情報とその設定項目情報に対応付けられた設定内容情報との組み合わせの表示順を変更操作する等して、意図した表示順で設定項目情報とその設定項目情報に対応付けられた設定内容情報とを表示させることができる。これによって、設定内容情報の確認作業の利便性を向上することができる。
【００３１】
また、本発明に係る画像形成装置は、機能を制御するための複数の設定項目を有し、携帯端末装置と通信可能な画像形成装置であって、前記複数の設定項目をそれぞれ示す複数の設定項目情報と、前記複数の設定項目にそれぞれ対応する設定内容を示す複数の設定内容情報とを、それぞれ対応付けて第１機能設定情報として記憶する設定情報記憶部と、前記第１機能設定情報に含まれる前記複数の設定項目情報のうち少なくとも一部の設定項目情報と、前記少なくとも一部の設定項目情報に対応する前記設定内容情報とを示す第２機能設定情報を前記携帯端末装置に送信する機能設定情報送信処理を実行する機能設定情報送信部とを備える。
【００３２】
この構成によれば、画像形成装置は、第１機能設定情報に含まれる複数の設定項目情報のうち少なくとも一部の設定項目情報と、少なくとも一部の設定項目情報に対応する設定内容情報とを含む第２機能設定情報を携帯端末装置に送信することによって、携帯端末装置に第２機能設定情報を表示させることが可能となる。
【発明の効果】
【００３３】
本発明によれば、機能を制御するための複数の設定項目を有する画像形成装置と前記画像形成装置と通信可能な携帯端末装置とを含む機能設定制御システムにおいて、設定項目に対応する設定内容を容易に確認することができる機能設定制御システム及び画像形成装置を提供することができる。
【図面の簡単な説明】
【００３４】
【図１】本発明に係る機能設定制御システムの構成の一例を示す説明図である。
【図２】本発明に係る画像形成装置の一例としての複合機の概略構造図である。
【図３】操作部の一例を示す説明図である。
【図４】複合機の電気的構成の一例を示すブロック図である。
【図５】本発明に係る携帯端末装置の電気的構成の一例を示すブロック図である。
【図６】初期設定情報記憶部に記憶された複数の初期設定内容情報の一例を示す説明図である。
【図７】設定情報記憶部に記憶された第１機能設定情報の一例を示す説明図である。
【図８】コピー機能を制御するための複数の設定項目に対応する設定内容情報の入力操作を行うための操作画面の一例を示す説明図である。
【図９】設定項目「用紙選択」に対応する設定内容情報の入力操作を行うための操作画面の一例を示す説明図である。
【図１０】通信対象の複合機を選択するための操作画面の一例を示す説明図である。
【図１１】携帯端末装置において一覧表示画面を表示させる動作の一例を示すフローチャートである。
【図１２】選択項目記憶部に記憶された選択項目情報の一例を示す説明図である。
【図１３】複合機における機能設定情報を携帯端末装置へ送信する動作の一例を示すフローチャートである。
【図１４】選択項目記憶部、設定情報記憶部、及び初期設定情報記憶部に記憶されている情報の関係、及び、複合機から携帯端末装置に送信される情報の一例を示す説明図である。
【図１５】複合機における機能設定情報を携帯端末装置へ送信する動作において実行される処理の一例を示すフローチャートであり、（ａ）は処理Ａを示すフローチャートであり、（ｂ）は処理Ｂを示すフローチャートであり、（ｃ）は処理Ｃを示すフローチャートである。
【図１６】一覧表示画面の一例を示す説明図である。
【図１７】一覧表示画面に表示されている設定項目情報のうち、非表示にする対象の設定項目情報を入力する操作の一例を示す説明図である。
【図１８】一覧表示画面に表示された設定項目情報の何れかを非表示にする動作の一例を示すフローチャートであり、（ａ）は、携帯端末装置９における動作の一例を示すフローチャートであり、（ｂ）は、複合機１における動作の一例を示すフローチャートである。
【図１９】一覧表示画面に表示された設定項目情報の何れかを非表示にする動作が行われた後の一覧表示画面の一例を示す説明図である。
【図２０】携帯端末装置において一覧表示画面の表示を更新する動作の一例を示すフローチャートである。
【図２１】複合機における更新された設定内容情報を携帯端末装置へ送信する動作の一例を示すフローチャートである。
【図２２】選択項目記憶部、第１機能設定情報が更新された設定情報記憶部、及び初期設定情報記憶部に記憶されている情報の関係、及び、複合機から携帯端末装置に送信される情報の一例を示す説明図である。
【図２３】複合機における更新された機能設定情報を携帯端末装置へ送信する動作において実行される処理の一例を示すフローチャートであり、（ａ）は処理Ｘを示すフローチャートであり、（ｂ）は処理Ｙを示すフローチャートである。
【図２４】表示内容を更新した後の一覧表示画面の一例を示す説明図である。
【図２５】一覧表示画面に表示されている設定項目情報とその設定項目情報に対応する設定内容情報との組み合わせの表示順を変更する操作の一例を示す説明図であり、（ａ）は表示順の変更前の一覧表示画面を示し、（ｂ）は表示順が変更された後の一覧表示画面を示す。
【発明を実施するための形態】
【００３５】
以下、本発明に係る実施形態を図面に基づいて説明する。図１は、本発明に係る機能設定制御システムＳＹＳの構成の一例を示す説明図である。
【００３６】
図１に示すように、機能設定制御システムＳＹＳは、本発明に係る画像形成装置の一例としての複数の複合機１ａ〜１ｃと、携帯端末装置９と、を備えて構成されている。複合機１ａ〜１ｃは、例えば、コピー機能、スキャナー機能及びファクシミリ機能等の多種の機能を実行可能に構成されている。携帯端末装置９は、例えば、スマートフォンやタブレット端末である。複合機１ａ〜１ｃ及び携帯端末装置９は、互いに、例えば、Ｂｌｕｅｔｏｏｔｈ（登録商標）や赤外線通信等の無線通信が可能に構成されている。携帯端末装置９は、複数の複合機１ａ〜１ｃのうち通信対象の一台を択一的に選択し、選択した複合機１ａ〜１ｃとの間で無線通信を行う。例えば、図１における実線部は、複合機１ａと携帯端末装置９とが無線通信を行っていることを示している。尚、機能設定制御システムＳＹＳに含まれる複合機の台数は、３台に限定する趣旨ではなく、例えば１台であってもよい。
【００３７】
図２は、本発明に係る画像形成装置の一例としての複合機１ａ〜１ｃの概略構造図である。複合機１ａ〜１ｃは、同様の構成であるため、以下では、複合機１ａ〜１ｃを総称して複合機１と称す。
【００３８】
複合機１は、原稿読取部５と、原稿給送部６と、本体部１００と、後処理部３と、操作部７と、を備えている。
【００３９】
原稿読取部５は、ＣＣＤ（Ｃｈａｒｇｅ  Ｃｏｕｐｌｅｄ  Ｄｅｖｉｃｅ）及び露光ランプ等からなるスキャナー５１と、ガラス等の透明部材により構成された原稿台５２及び原稿読取スリット５３とを備えている。スキャナー５１は図略の駆動部によって移動可能に構成され、原稿台５２に載置された原稿を読み取るときは、原稿台５２に対向する位置で原稿面に沿って移動され、原稿画像を走査しつつ取得した画像データを制御部１０へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００４０】
原稿給送部６は、原稿載置部６０１、給紙ローラー６０２、原稿搬送部６０３及び原稿排出部６０４を備える。給紙ローラー６０２は、原稿載置部６０１にセットされた所要枚数分の原稿を一枚ずつ繰り出し、原稿搬送部６０３は、繰り出される原稿を順次スキャナー５１の読み取り位置に搬送する。スキャナー５１は、搬送される原稿の画像を順次読み取り、読み取られた原稿は原稿排出部６０４に排出される。
【００４１】
また、原稿給送部６はその前面側が上方に移動可能となるように本体部１００に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００４２】
本体部１００は、手差トレイ４６０、複数の給紙カセット４６１、複数の給紙ローラー４６２、画像形成部４、排出口２０９、排出トレイ４８、及び制御部１０を備えている。
【００４３】
給紙ローラー４６２は、用紙が収納された手差トレイ４６０や給紙カセット４６１から用紙を引き出し、用紙を画像形成部４へ給送する。
【００４４】
画像形成部４は、用紙搬送部４１と、光走査装置４２と、感光体ドラム４３と、現像部４４と、転写部４５と、定着部４６と、を備えている。
【００４５】
用紙搬送部４１は、給紙ローラー４６２によって搬送されてきた用紙を感光体ドラム４３に供給する搬送ローラー４１３や、排出口２０９を介して用紙を後処理部３へ搬送する搬送ローラー４１４や、用紙を排出トレイ４８まで搬送する搬送ローラー４１５等を備えている。
【００４６】
光走査装置４２は、制御部１０に入力された画像データに基づいてレーザー光を出力し、このレーザー光によって感光体ドラム４３を走査することで、感光体ドラム４３上に静電潜像を形成する。
【００４７】
現像部４４は、感光体ドラム４３上の静電潜像にトナーを付着させてトナー像を形成する。転写部４５は、感光体ドラム４３上のトナー像を用紙に転写する。定着部４６は、トナー像が転写された用紙を加熱してトナー像を用紙に定着させる。
【００４８】
制御部１０は、原稿読取部５や画像形成部４等の各機能動作部の動作制御を行い、複合機１全体の動作を司る。制御部１０は、例えば、所定の演算処理を実行するＣＰＵ（Ｃｅｎｔｒａｌ  Ｐｒｏｃｅｓｓｉｎｇ  Ｕｎｉｔ）と、所定の制御プログラムが記憶されたＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の不揮発性メモリーと、データを一時的に記憶するＲＡＭ（Ｒａｎｄｏｍ  Ａｃｃｅｓｓ  Ｍｅｍｏｒｙ）と、これらの周辺回路等とを備えて構成されている。
【００４９】
後処理部３は、搬入口３０１、用紙搬送部３０２、仕分け部３０３、用紙加工部３０４、搬出口３０５及びスタックトレイ３０６を備えている。後処理部３は、本体部１００に着脱可能に構成されている。後処理部３には、印刷後に、ステープルやパンチなどの後処理が必要となった用紙が、本体部１００の排出口２０９から搬入口３０１に搬入され、用紙搬送部３０２から仕分け部３０３に順次搬送され、適宜仕分け（ソート）や先端揃えが行われた後、用紙加工部３０４においてステープルやパンチなどの処理が行われ、搬出口３０５からスタックトレイ３０６へ排出される。スタックトレイ３０６は、搬出口３０５から搬出された用紙の集積枚数に応じて、図中の矢印方向に上下動可能に構成されている。
【００５０】
操作部７は、複合機１の正面部に設けられ、ユーザーによる種々の操作指示を入力可能に構成されている。図３は、操作部７の一例を示す説明図である。図３に示すように、操作部７には、タッチパネル装置７１、インジケーター７２ａ〜７２ｆ、入力キー７３ａ〜７３ｄ、スイッチ７４ａ〜７４ｐが設けられている。
【００５１】
タッチパネル装置７１は、タッチパネル機能を有する液晶ディスプレイ（表示部）７１１を備えている。このタッチパネル機能によって、液晶ディスプレイ７１１に表示されたソフトキーがユーザーによって触れられたときにはそのソフトキーのタッチ操作の指示が入力される。また、このタッチパネル機能によって、液晶ディスプレイ７１１上でユーザーによって触れられている位置の軌跡が認識され、その軌跡に基づいて予め定められた操作であるジェスチャー操作の指示が入力される。
【００５２】
例えば、このタッチパネル機能では、液晶ディスプレイ７１１を軽く叩くタップ操作、予め定められた受付時間内に２度タップ操作するダブルタップ操作、液晶ディスプレイ７１１を２本の指で摘むように操作し、又は、摘んだ状態から２本の指を広げるように操作するピンチ操作、液晶ディスプレイ７１１に指を触れた状態でそのまま指を滑らせるスワイプ操作、液晶ディスプレイ７１１を軽く払うように指を動かすフリック操作、等のジェスチャー操作の指示が入力される。
【００５３】
インジケーター７２ａ〜７２ｆは、発光ダイオードなどからなり、点滅或いは点灯／消灯することによって、複合機１の状態を示す。例えば、インジケーター７２ａは印刷中に点滅し、インジケーター７２ｂは外部にデータを送信中に点滅し、インジケーター７２ｃは外部からデータを受信中に点滅する。インジケーター７２ｄは複合機１内に備えられたハードディスクやメモリー等に記憶されているデータにアクセス中に点滅する。インジケーター７２ｅは異常が発生した場合に点灯又は点滅する。インジケーター７２ｆは複合機１に電源が投入されているときに点灯する。
【００５４】
入力キー７３ａ〜７３ｄは、数字や記号の入力や、入力済みの文字列を消去又は確定するために設けられている。例えば、入力キー７３ａは、所謂置数キー群であり、数字や記号を入力するために設けられている。入力キー７３ｂは、所謂クリアキーであり、入力済みの文字列を消去するために設けられている。入力キー７３ｃは、所謂短縮キーであり、予めメモリー等に記憶済みの文字列を読み出して入力するために設けられている。入力キー７３ｄは、所謂エンターキー（リターンキー）であり、文字列の入力指示やソフトキーの選択指示等を確定するために設けられている。
【００５５】
スイッチ７４ａ〜７４ｐは、複合機１に備えられた複数の機能のうち、実行しようとする機能の切り替えや、機能の動作を開始及び停止するために設けられたスイッチである。
【００５６】
例えば、代表的なものとして、スイッチ７４ａは、実行対象の機能をシステムメニュー機能に切り替えて、複合機１の有する各機能を制御するための複数の設定項目のそれぞれに対応する設定内容の初期値の入力操作を行うための操作画面を、液晶ディスプレイ７１１に表示するスイッチである。スイッチ７４ｊは、実行対象の機能をコピー機能に切り替えて、コピー機能を制御するための複数の設定項目のそれぞれに対応する設定内容の入力操作を行うための操作画面を、液晶ディスプレイ７１１に表示するスイッチである。スイッチ７４ｍは、機能の動作を開始するスタートスイッチである。スイッチ７４ｎは、機能の動作を停止するストップスイッチである。スイッチ７４ｏは、各設定内容を初期値に設定し直すためのリセットスイッチである。
【００５７】
次に、複合機１及び携帯端末装置９の電気的な構成について説明する。図４は、複合機の電気的構成の一例を示すブロック図である。図５は、本発明に係る携帯端末装置９の電気的構成の一例を示すブロック図である。
【００５８】
図４に示すように、複合機１は、原稿給送部６、画像形成部４、操作部７、原稿読取部５、後処理部３、通信部８及び制御部１０が相互に通信可能なように接続されている。原稿給送部６、画像形成部４、操作部７、原稿読取部５、及び後処理部３に関しては、既に説明したので説明を省略する。
【００５９】
通信部８は、ファクシミリ通信部８０１と、ネットワーク通信部８０２と、無線通信部８０３と、を備えている。
【００６０】
ファクシミリ通信部８０１は、電話回線網８０４に接続されている。ファクシミリ通信部８０１は、相手先ファクシミリとの電話回線の接続を制御するＮＣＵ（Ｎｅｔｗｏｒｋ  Ｃｏｎｔｒｏｌ  Ｕｎｉｔ）及びファクシミリ通信用の画像信号を変復調する変復調回路を備えている。
【００６１】
ネットワーク通信部８０２は、ＬＡＮ（Ｌｏｃａｌ  Ａｒｅａ  Ｎｅｔｗｏｒｋ）やインターネット等のネットワーク８０５に接続されている。ネットワーク通信部８０２は、ネットワーク８０５に接続されたパーソナルコンピューター等の端末装置との間で、印刷対象の文字列や画像等を表すバイナリデータ等、各種データの通信を実行するための通信インターフェイス回路である。
【００６２】
無線通信部８０３は、携帯端末装置９との間で、複合機１において設定されている各機能の設定情報を表すバイナリデータ等の各種データを、例えばＢｌｕｅｔｏｏｔｈ（登録商標）や赤外線通信等によって無線通信するためのインターフェイス回路である。無線通信部８０３は、携帯端末装置９からの各種データの送信要求を常時待機し、携帯端末装置９からの送信要求に応答して、要求された各種データを携帯端末装置９に送信する。
【００６３】
制御部１０は、ＲＡＭの記憶領域の一部を設定情報記憶部１２として用い、不揮発性メモリーの記憶領域の一部を初期設定情報記憶部１１及び選択項目記憶部１５として用いる。また、制御部１０は、不揮発性メモリーに記憶された制御プログラムを実行することによって、原稿読取部５や画像形成部４等の各機能動作部の動作制御を行い、特に、入力受付部１３、設定情報更新部１４、設定項目選択部１６、機能設定情報送信部１７、機能設定不可情報送信部１８、非表示設定項目受信部１９、選択項目除外部２０、及び更新設定情報送信部２１、として機能する。
【００６４】
初期設定情報記憶部１１には、複合機１で実行可能な機能を制御するための複数の設定項目にそれぞれ対応する設定内容の初期値として予め定められた複数の初期設定内容情報が記憶されている。例えば、ユーザーによってシステムメニュー機能が実行されたときに各設定内容の初期値として入力された設定内容情報が、各初期設定内容情報として初期設定情報記憶部１１に記憶される。
【００６５】
図６は、初期設定情報記憶部１１に記憶された複数の初期設定内容情報の一例を示す説明図である。例えば、図６に示すように、初期設定情報記憶部１１には、設定項目「部数」に対応する設定内容の初期値として予め定められた「１」を示す初期設定内容情報Ｌ１が記憶されている。
【００６６】
また、初期設定情報記憶部１１には、設定項目「用紙選択」に対応する設定内容の初期値として予め定められた「自動」を示す初期設定内容情報Ｌ２、設定項目「縮小／拡大」に対応する設定内容の初期値として予め定められた「１００％」を示す初期設定内容情報Ｌ３、設定項目「両面／分割」に対応する設定内容の初期値として予め定められた「片面→片面」を示す初期設定内容情報Ｌ４、設定項目「濃度」に対応する設定内容の初期値として予め定められた「ふつう」を示す初期設定内容情報Ｌ５、設定項目「ページ集約」に対応する設定内容の初期値として予め定められた「設定しない」を示す初期設定内容情報Ｌ６、及び設定項目「排紙先」に対応する設定内容の初期値として予め定められた「上トレイ」を示す初期設定内容情報Ｌ７が記憶されている。
【００６７】
設定情報記憶部１２には、複数の設定項目をそれぞれ示す複数の設定項目情報と、複数の設定項目にそれぞれ対応する設定内容を示す複数の設定内容情報とを、それぞれ対応付けた情報が第１機能設定情報Ｆ１として記憶される。制御部１０は、この第１機能設定情報Ｆ１に含まれている、動作対象の機能を制御するための複数の設定項目にそれぞれ対応する設定内容を読み出して、機能の動作制御を行う。
【００６８】
このため、例えば、複合機１への電源投入時や、スイッチ７４ｏ（図３）が押下された場合等に、制御部１０によって、初期設定情報記憶部１１に記憶されている各初期設定内容情報を読み出して、読み出した各初期設定内容情報と、読み出された各初期設定内容情報に対応する設定項目を示す設定項目情報と、を対応付けて、第１機能設定情報Ｆ１として設定情報記憶部１２に記憶する初期化処理が行われる。
【００６９】
図７は、設定情報記憶部１２に記憶された第１機能設定情報Ｆ１の一例を示す説明図である。例えば、図７に示すように、設定情報記憶部１２には、上記の初期化処理によって、設定項目「部数」を示す設定項目情報Ｊ１と、設定項目「部数」に対応する設定内容「１」を示す設定内容情報Ｋ１と、を対応付けた情報が第１機能設定情報Ｆ１として記憶される。
【００７０】
以下同様にして、設定情報記憶部１２には、設定項目「用紙選択」を示す設定項目情報Ｊ２と設定項目「用紙選択」に対応する設定内容「自動」を示す設定内容情報Ｋ２とを対応付けた情報、設定項目「縮小／拡大」を示す設定項目情報Ｊ３と設定項目「縮小／拡大」に対応する設定内容「１００％」を示す設定内容情報Ｋ３とを対応付けた情報、及び、設定項目「両面／分割」を示す設定項目情報Ｊ４と設定項目「両面／分割」に対応する設定内容「片面→片面」を示す設定内容情報Ｋ４とを対応付けた情報が第１機能設定情報Ｆ１として記憶される。また、設定情報記憶部１２には、設定項目「濃度」を示す設定項目情報Ｊ５と設定項目「濃度」に対応する設定内容「ふつう」を示す設定内容情報Ｋ５とを対応付けた情報、設定項目「ページ集約」を示す設定項目情報Ｊ６と設定項目「ページ集約」に対応する設定内容「設定しない」を示す設定内容情報Ｋ６とを対応付けた情報、及び設定項目「排紙先」を示す設定項目情報Ｊ７と設定項目「排紙先」に対応する設定内容「上トレイ」を示す設定内容情報Ｋ７とを対応付けた情報が、第１機能設定情報Ｆ１として記憶される。
【００７１】
入力受付部１３は、複数の設定項目のうち何れかの設定項目に対応する設定内容情報の入力操作を受け付ける。設定情報更新部１４は、入力受付部１３によって受け付けられた何れかの設定項目に対応する設定内容情報を、設定情報記憶部１２に記憶された何れかの設定項目を示す設定項目情報に対応する新たな設定内容情報として、設定情報記憶部１２に記憶させる設定情報更新処理を行う。
【００７２】
図８は、コピー機能を制御するための複数の設定項目に対応する設定内容情報の入力操作を行うための操作画面の一例を示す説明図である。図９は、設定項目「用紙選択」に対応する設定内容情報の入力操作を行うための操作画面の一例を示す説明図である。具体的には、スイッチ７４ｊ（図３）が押下されると、入力受付部１３は、例えば、図８に示すように、コピー機能を制御するための複数の設定項目に対応する設定内容情報の入力操作を行うための操作画面Ｗ１を液晶ディスプレイ７１１に表示させる。
【００７３】
操作画面Ｗ１において、符号ＳＫ１〜ＳＫ７は、それぞれ、設定項目「部数」、設定項目「用紙選択」、設定項目「縮小／拡大」、設定項目「両面／分割」、設定項目「濃度」、設定項目「ページ集約」、及び設定項目「排紙先」の各設定項目に対応する設定内容情報の入力操作を行うための各操作画面を、液晶ディスプレイ７１１に表示させる操作を行わせるためのソフトキーを示している。
【００７４】
また、各設定項目に対応するソフトキーＳＫ２〜ＳＫ７の上部には、設定情報記憶部１２に記憶されている各設定項目を示す設定項目情報のそれぞれに対応付けられた設定内容情報Ｋ２〜Ｋ７（図７）が表示される。また、設定項目「部数」を示す設定項目情報Ｊ１（図７）に対応付けられた設定内容情報Ｋ１（図７）は、操作画面Ｗ１における垂直方向の上部に表示される。つまり、ユーザーは、スイッチ７４ｊ（図３）を押下して、液晶ディスプレイ７１１の表示を操作画面Ｗ１に切り替える操作を行うことによって、コピー機能を制御するための複数の設定項目に対応する設定内容を一目で確認することができる。
【００７５】
操作画面Ｗ１において、ユーザーによって、例えばソフトキーＳＫ２がタッチ操作されると、入力受付部１３は、液晶ディスプレイ７１１に表示されている操作画面Ｗ１を、図９に示すように、用紙選択機能の設定情報の入力操作を行うための操作画面Ｗ２に切り替えて、液晶ディスプレイ７１１に表示させる。これによって、操作画面Ｗ１が液晶ディスプレイ７１１に表示されなくなるので、ユーザーはコピー機能を制御するための複数の設定項目に対応する設定内容を一目で確認することができなくなる。
【００７６】
図９に示す操作画面Ｗ２において、符号ＫＧ１は、手差トレイ４６０に載置されている用紙及び各給紙カセット４６１に収容されている用紙を選択操作させるためのソフトキー群を示している。例えば、図９では、最上段の給紙カセット４６１に収容されている「Ａ４」サイズの用紙が選択されている状態を示している。このように、ユーザーによるソフトキー群ＫＧ１のうちの何れかのソフトキーのタッチ操作によって用紙が選択された状態で、ＯＫキーＳＫＯＫが押下されると、入力受付部１３は、ユーザーによってタッチ操作されたソフトキーに対応する「Ａ４」を示す情報を、設定項目「用紙選択」に対応する設定内容情報として受け付ける。
【００７７】
入力受付部１３によって設定項目「用紙選択」に対応する設定内容情報として「Ａ４」を示す情報が受け付けられると、設定情報更新部１４は、設定情報更新処理を開始し、入力受付部１３によって受け付けられた「Ａ４」を示す情報を、設定情報記憶部１２に記憶されている設定項目「用紙選択」を示す設定項目情報Ｊ２（図７）に対応する新たな設定内容情報Ｋ２（図７）として、設定情報記憶部１２に記憶させる。
【００７８】
尚、選択項目記憶部１５、設定項目選択部１６、機能設定情報送信部１７、機能設定不可情報送信部１８、非表示設定項目受信部１９、選択項目除外部２０、及び更新設定情報送信部２１の詳細については、後述する。
【００７９】
一方、携帯端末装置９は、図５に示すように、タッチパネル装置９１と、無線通信部９２と、携帯側制御部９０と、を備えている。
【００８０】
タッチパネル装置９１は、複合機１に備えられたタッチパネル装置７１と同様に、タッチパネル機能を有する液晶ディスプレイ（携帯側表示部）９１１を備えて構成されている。このタッチパネル機能によって、液晶ディスプレイ９１１に表示されたソフトキーがユーザーによって触れられたときにはそのソフトキーのタッチ操作の指示が入力される。また、このタッチパネル機能によって、液晶ディスプレイ９１１上でユーザーによって触れられている位置の軌跡が認識され、その軌跡に基づいて、例えば、タップ操作、ダブルタップ操作、ピンチ操作、及びスワイプ操作等の予め定められたジェスチャー操作の指示が入力される。
【００８１】
無線通信部９２は、複合機１に備えられた無線通信部８０３との間で、当該複合機１において設定されている各設定項目及びその設定項目に対応する設定内容を表すバイナリデータ等の各種データを、例えばＢｌｕｅｔｏｏｔｈ（登録商標）や赤外線通信等によって無線通信するためのインターフェイス回路である。
【００８２】
携帯側制御部９０は、タッチパネル装置９１や無線通信部９２の動作制御を行い、携帯端末装置９全体の動作を司る。携帯側制御部９０は、例えば、所定の演算処理を実行するＣＰＵと、所定の制御プログラムが記憶されたＥＥＰＲＯＭ等の不揮発性メモリーと、データを一時的に記憶するＲＡＭと、これらの周辺回路等とを備えて構成されている。
【００８３】
携帯側制御部９０は、不揮発性メモリーに記憶された制御プログラムを実行することによって、タッチパネル装置９１や無線通信部９２の動作制御を行い、特に、通信対象受付部９３、携帯側受信部９４、表示制御部９５、非表示対象受付部９６、非表示設定項目送信部９７、表示順変更受付部９８、及び表示順変更制御部９９、として機能する。
【００８４】
通信対象受付部９３は、機能設定制御システムＳＹＳに含まれる複数の複合機１ａ〜１ｃ（図１）のうち、通信の対象とする何れか一の複合機１を択一的に選択する操作を受け付ける。
【００８５】
図１０は、通信対象の複合機１を選択するための操作画面の一例を示す説明図である。例えば、図１０に示すように、通信対象受付部９３は、機能設定制御システムＳＹＳに含まれる複数の複合機１ａ〜１ｃのそれぞれを示すソフトキーＳＫａ〜ＳＫｃが表示された操作画面Ｗ３を液晶ディスプレイ９１１に表示させる。そして、ユーザーによって、ソフトキーＳＫａ〜ＳＫｃのうちの何れか一つがタッチ操作された後、ＯＫキーＳＫＯＫ２がタッチ操作されると、当該タッチ操作されたソフトキーによって示される複合機１を、通信対象の複合機１として受け付ける。例えば、図１０は、ユーザーによって複合機１ａを示すソフトキーＳＫａがタッチ操作されたことを示している。
【００８６】
携帯側受信部９４は、無線通信部９２を介して、通信対象の複合機１に各種情報の送信を要求し、これに応じて通信対象の複合機１から送信されてきた情報を受信する。
【００８７】
尚、携帯側受信部９４によって受信される情報の詳細については後述する。また、表示制御部９５、非表示対象受付部９６、非表示設定項目送信部９７、表示順変更受付部９８、及び表示順変更制御部９９の詳細については、後述する。
【００８８】
以下では、携帯端末装置９と複合機１との間で無線通信を行うことによって、複合機１における複数の設定項目を示す設定項目情報及び設定項目情報に対応する設定内容情報を一画面で表示する一覧表示画面Ｗ０を携帯端末装置９の液晶ディスプレイ９１１に表示させる動作について説明する。そして、当該説明の中で、選択項目記憶部１５、設定項目選択部１６、機能設定情報送信部１７、機能設定不可情報送信部１８、表示制御部９５について詳述する。また、以下では、設定項目情報と設定内容情報とを対応付けた情報を機能設定情報と称す。
【００８９】
図１１は、携帯端末装置９において一覧表示画面Ｗ０を表示させる動作の一例を示すフローチャートである。例えば、図１１に示すように、携帯端末装置９において、通信対象受付部９３によって、機能設定制御システムＳＹＳに含まれる複数の複合機１ａ〜１ｃ（図１）のうち、通信の対象とする何れか一の複合機１を択一的に選択する操作が受け付けられると（ＳＡ１；ＹＥＳ）、携帯側受信部９４は、無線通信部９２を介して、通信対象受付部９３によって受け付けられた通信対象の複合機１に対して、一覧表示画面Ｗ０に表示させる設定項目として予め選択された設定項目を示す設定項目情報と、その設定項目情報に対応する設定内容情報と、をそれぞれ対応付けた機能設定情報の送信を要求する（ＳＡ２）。
【００９０】
予め選択された設定項目は、例えば、携帯端末装置９、各複合機１ａ〜１ｃ、又は、ネットワーク８０５を介して複合機１に接続されたパーソナルコンピューター等の端末装置において、機能設定制御システムＳＹＳに含まれる複数の複合機１ａ〜１ｃのうちの何れかによって設定可能な設定項目の一覧の中から選択操作される。この選択操作された設定項目を示す設定項目情報は、携帯端末装置９によって無線通信部９２を介して各複合機１ａ〜１ｃに送信される、又は、各複合機１ａ〜１ｃ若しくは端末装置からネットワーク８０５を介して各複合機１ａ〜１ｃに送信され、各複合機１ａ〜１ｃの選択項目記憶部１５のそれぞれに、同じ選択項目情報ＳＩとして予め記憶される。
【００９１】
図１２は、選択項目記憶部１５に記憶された選択項目情報ＳＩの一例を示す説明図である。例えば、図１２に示すように、選択項目記憶部１５には、選択項目情報ＳＩとして、設定項目「部数」を示す設定項目情報Ｊ１、設定項目「用紙選択」を示す設定項目情報Ｊ２、設定項目「縮小／拡大」を示す設定項目情報Ｊ３、設定項目「両面／分割」を示す設定項目情報Ｊ４、設定項目「ステープル」を示す設定項目情報Ｊ８、設定項目「ソート」を示す設定項目情報Ｊ９、及び設定項目「パンチ」を示す設定項目情報Ｊ１０が記憶されている。
【００９２】
図１３は、複合機１における機能設定情報を携帯端末装置９へ送信する動作の一例を示すフローチャートである。図１３に示すように、複合機１では、無線通信部８０３によって、携帯端末装置９からの機能設定情報の送信要求が受信されると（ＳＢ１；ＹＥＳ）、設定項目選択部１６は、設定情報記憶部１２に記憶されている設定項目情報を、選択項目記憶部１５に記憶されている選択項目情報ＳＩによって選択する対象とされている設定項目を示す設定項目情報であるか否かによって分類する（ＳＢ２）。
【００９３】
図１４は、選択項目記憶部１５、設定情報記憶部１２、及び初期設定情報記憶部１１に記憶されている情報の関係、及び、複合機１から携帯端末装置９に送信される情報の一例を示す説明図である。例えば、図１４は、選択項目記憶部１５に、図１２に示したものと同じ選択項目情報ＳＩが記憶されていることを示している。また、図１４は、設定情報記憶部１２には、初期化処理によって図７に示した第１機能設定情報Ｆ１が記憶された後、設定情報更新部１４による設定情報更新処理によって、設定項目「部数」に対応する設定内容情報Ｋ１が、設定項目「部数」に対応する初期設定内容情報Ｌ１が示す初期値「１」とは異なる「１０」に更新され、設定項目「ページ集約」に対応する設定内容情報Ｋ６が、設定項目「ページ集約」に対応する初期設定内容情報Ｌ６が示す初期値「設定しない」とは異なる「２  ｉｎ  １」に更新されていることを示している。
【００９４】
以下では、無線通信部８０３によって、携帯端末装置９からの機能設定情報の送信要求が受信された場合に、図１４に示すように、選択項目記憶部１５、設定情報記憶部１２、及び初期設定情報記憶部１１に情報が記憶されていたものとして具体的に説明する。
【００９５】
図１４に示すように、設定情報記憶部１２に記憶されている設定項目情報Ｊ１〜Ｊ４は、選択項目情報ＳＩに含まれている。一方、設定情報記憶部１２に記憶されている設定項目情報Ｊ５〜Ｊ７は、選択項目情報ＳＩに含まれていない。したがって、設定項目選択部１６は、ステップＳＢ２において、設定情報記憶部１２に記憶されている設定項目情報Ｊ１〜Ｊ７を、選択項目情報ＳＩによって選択する対象とされている設定項目を示す設定項目情報Ｊ１〜Ｊ４と、選択項目情報ＳＩによって選択する対象とされている設定項目を示す設定項目情報ではない設定項目情報Ｊ５〜Ｊ７と、に分類する。
【００９６】
次に、機能設定情報送信部１７は、設定情報記憶部１２に記憶されている第１機能設定情報Ｆ１のうち、ステップＳＢ２において選択項目情報ＳＩによって選択する対象とされている設定項目を示す設定項目情報として分類された設定項目情報Ｊ１〜Ｊ４に対応する機能設定情報を用いて、処理Ａを実行する（ＳＢ３）。一方、機能設定情報送信部１７は、設定情報記憶部１２に記憶されている第１機能設定情報Ｆ１のうち、ステップＳＢ２において選択項目情報ＳＩによって選択する対象とされている設定項目を示す設定項目情報ではないとして分類された設定項目情報Ｊ５〜Ｊ７に対応する機能設定情報を用いて、処理Ｂを実行する（ＳＢ４）。
【００９７】
図１５は、複合機１における機能設定情報を携帯端末装置９へ送信する動作において実行される処理の一例を示すフローチャートであり、（ａ）は処理Ａを示すフローチャートであり、（ｂ）は処理Ｂを示すフローチャートであり、（ｃ）は処理Ｃを示すフローチャートである。図１５（ａ）に示すように、機能設定情報送信部１７は、ステップＳＢ３において、以下に説明するステップＳＣ１〜ＳＣ３からなる処理Ａを実行する。機能設定情報送信部１７は、処理Ａの実行を開始すると、先ず、ステップＳＢ２において選択項目情報ＳＩによって選択する対象とされている設定項目を示す設定項目情報として分類された設定項目情報Ｊ１〜Ｊ４を、更に、設定項目情報Ｊ１〜Ｊ４にそれぞれ対応付けられた設定内容情報Ｋ１〜Ｋ４が、それぞれに対応する初期設定内容情報Ｌ１〜Ｌ４と同じであるか否かによって分類する（ＳＣ１）。
【００９８】
図１４に示すように、設定項目情報Ｊ１〜Ｊ４にそれぞれ対応付けられた設定内容情報Ｋ１〜Ｋ４のうち、設定内容情報Ｋ２〜Ｋ４は、初期設定内容情報Ｌ２〜Ｌ４と同じである。また、設定項目情報Ｊ１に対応付けられた設定内容情報Ｋ１は、初期設定内容情報Ｌ１と異なっている。したがって、機能設定情報送信部１７は、ステップＳＣ１において、設定項目情報Ｊ１〜Ｊ４を、設定項目情報に対応付けられた設定内容情報が初期設定内容情報と同じである設定項目情報Ｊ２〜Ｊ４と、設定項目情報に対応付けられた設定内容情報が初期設定内容情報と異なる設定項目情報Ｊ１とに分類する。
【００９９】
次に、機能設定情報送信部１７は、図１４に示すように、ステップＳＣ１において設定項目情報に対応付けられた設定内容情報が初期設定内容情報と同じである設定項目情報として分類した設定項目情報Ｊ２〜Ｊ４と、これに対応する設定内容情報Ｋ２〜Ｋ４と、を対応付けた情報Ｖ１を携帯端末装置９に送信する（ＳＣ２、機能設定情報送信処理）。
【０１００】
また、機能設定情報送信部１７は、図１４に示すように、ステップＳＣ１において設定項目情報に対応付けられた設定内容情報が初期設定内容情報と異なる設定項目情報として分類した設定項目情報Ｊ１と、これに対応する設定内容情報Ｋ１と、警告を示す情報である警告情報ＡＬと、を対応付けた情報Ｖ２を携帯端末装置９に送信する（ＳＣ３、機能設定情報送信処理）。
【０１０１】
一方、機能設定情報送信部１７は、図１５（ｂ）に示すように、ステップＳＢ４において、以下に説明するステップＳＤ１〜ＳＤ２からなる処理Ｂを実行する。機能設定情報送信部１７は、処理Ｂの実行を開始すると、先ず、ステップＳＢ２において選択項目情報ＳＩによって選択する対象とされている設定項目を示す設定項目情報ではないとして分類された設定項目情報Ｊ５〜Ｊ７のうち、設定項目情報Ｊ５〜Ｊ７にそれぞれ対応付けられた設定内容情報Ｋ５〜Ｋ７が、それぞれに対応する初期設定内容情報Ｌ５〜Ｌ７と異なる設定項目情報を取得する（ＳＤ１）。
【０１０２】
図１４に示すように、設定項目情報Ｊ５〜Ｊ７にそれぞれ対応付けられた設定内容情報Ｋ５〜Ｋ７のうち、設定内容情報Ｋ５，Ｋ７は、初期設定内容情報Ｌ５，Ｌ７と同じであるが、設定項目情報Ｊ６に対応付けられた設定内容情報Ｋ６は、初期設定内容情報Ｌ６と異なっている。したがって、機能設定情報送信部１７は、ステップＳＤ１において、設定項目情報に対応付けられた設定内容情報が初期設定内容情報と異なる設定内容情報として、設定項目情報Ｊ６を取得する。
【０１０３】
そして、機能設定情報送信部１７は、図１４に示すように、ステップＳＤ１において設定項目情報に対応付けられた設定内容情報が初期設定内容情報と異なる設定内容情報として取得した設定項目情報Ｊ６と、これに対応する設定内容情報Ｋ６と、警告情報ＡＬと、を対応付けた情報Ｖ３を携帯端末装置９に送信する（ＳＤ２、機能設定情報送信処理）。
【０１０４】
このように、機能設定情報送信部１７は、第１機能設定情報Ｆ１に含まれる複数の設定項目情報のうち少なくとも一部の設定項目情報と、少なくとも一部の設定項目情報に対応する設定内容情報とを含む第２機能設定情報Ｆ２として、上記の情報Ｖ１〜Ｖ３を携帯端末装置９に送信する。
【０１０５】
図１３に戻り、ステップＳＢ４の実行後、機能設定不可情報送信部１８は、選択項目情報ＳＩによって選択する対象とされている設定項目を示す設定項目情報のうち、設定情報記憶部１２に記憶されていない設定項目情報を用いて、処理Ｃを実行する（ＳＢ５）。
【０１０６】
具体的には、図１４に示すように、選択項目情報ＳＩによって選択する対象とされている設定項目を示す設定項目情報Ｊ１〜Ｊ４，Ｊ８〜Ｊ１０のうち、設定情報記憶部１２には、設定項目情報Ｊ８〜Ｊ１０が記憶されていない。例えば、複合機１ｂには後処理部３が装着されており、後処理部３が有する機能を制御するための設定項目情報Ｊ８〜Ｊ１０のそれぞれが示す設定項目の設定が可能であるため、予め選択する対象の設定項目として設定項目情報Ｊ８〜Ｊ１０を選択項目情報ＳＩとして選択項目記憶部１５に記憶することができる。しかし、通信対象の複合機１ａに後処理部３が備えられていない場合、或いは、後処理部３が修理中のために本体部１００から離脱されている場合には、後処理部３が有する機能を制御するための設定項目情報Ｊ８〜Ｊ１０のそれぞれが示す設定項目の設定が不可能であり、このような場合、設定情報記憶部１２には、設定項目情報Ｊ８〜Ｊ１０が記憶されない。
【０１０７】
したがって、機能設定不可情報送信部１８は、ステップＳＢ５において、選択項目情報ＳＩによって選択する対象とされている設定項目を示す設定項目情報Ｊ１〜Ｊ４，Ｊ８〜Ｊ１０のうち、設定情報記憶部１２に記憶されていない設定項目情報Ｊ８〜Ｊ１０を用いて、処理Ｃを実行する。
【０１０８】
機能設定不可情報送信部１８は、図１５（ｃ）に示すように、ステップＳＢ５において、以下に説明するステップＳＥ１からなる処理Ｃを実行する。機能設定不可情報送信部１８は、処理Ｃの実行を開始すると、図１４に示すように、選択項目情報ＳＩによって選択する対象とされている設定項目を示す設定項目情報Ｊ１〜Ｊ４，Ｊ８〜Ｊ１０のうち、設定情報記憶部１２に記憶されていない設定項目情報Ｊ８〜Ｊ１０と、その設定項目情報によって示される設定項目が存在しないことを示す情報である設定不可情報ＩＭ（例えば図１４に示す、「設定不可」を示す文字列）と、を対応付けた機能設定不可情報ＦＸを携帯端末装置９に送信する（ＳＥ１）。
【０１０９】
一方、携帯端末装置９では、図１１に示すように、携帯側受信部９４によって無線通信部９２を介して第２機能設定情報Ｆ２が受信されると（ＳＡ３；ＹＥＳ）、表示制御部９５は、携帯側受信部９４によって受信された第２機能設定情報Ｆ２に基づいて、液晶ディスプレイ９１１に、第２機能設定情報Ｆ２に含まれる設定項目情報と、第２機能設定情報Ｆ２に含まれる設定項目情報に対応付けられた設定内容情報とを対応させて一画面で表示する一覧表示画面Ｗ０を表示させる一覧表示処理を行う（ＳＡ４）。
【０１１０】
図１６は、一覧表示画面Ｗ０の一例を示す説明図である。例えば、ステップＳＡ３において、携帯側受信部９４によって図１４に示した第２機能設定情報Ｆ２が受信されると、表示制御部９５は、図１６に示すように、第２機能設定情報Ｆ２に含まれる情報Ｖ１に基づいて、情報Ｖ１に含まれる設定項目情報Ｊ２〜Ｊ４と、設定項目情報Ｊ２〜Ｊ４にそれぞれ対応する設定内容情報Ｋ２〜Ｋ４と、を対応させて一画面で表示する一覧表示画面Ｗ０を液晶ディスプレイ９１１に表示させる一覧表示処理を行う。
【０１１１】
また、表示制御部９５は、一覧表示処理において、第２機能設定情報Ｆ２に含まれる情報Ｖ２に基づいて、情報Ｖ２に含まれる設定項目情報Ｊ１と、設定項目情報Ｊ１に対応する設定内容情報Ｋ１と、を対応させて一覧表示画面Ｗ０に表示させる。また、図１４に示したように、当該情報Ｖ２に含まれる設定項目情報Ｊ１には、警告情報ＡＬが対応付けられている。このように、警告情報ＡＬが対応付けられた設定項目情報が存在する場合には（ＳＡ５；ＹＥＳ）、表示制御部９５は、更に、警告情報ＡＬに対応付けられた設定項目情報Ｊ１と、設定項目情報Ｊ１に対応する設定内容情報Ｋ１と、を、例えば、白黒反転させて表示する等して、識別可能に表示させる（ＳＡ６）。
【０１１２】
これと同様にして、表示制御部９５は、一覧表示処理において、第２機能設定情報Ｆ２に含まれる情報Ｖ３に基づいて、情報Ｖ３に含まれる設定項目情報Ｊ６と、設定項目情報Ｊ６に対応する設定内容情報Ｋ６と、を対応させて一覧表示画面Ｗ０に表示させる。また、図１４に示したように、当該情報Ｖ３に含まれる設定項目情報Ｊ６には警告情報ＡＬが対応付けられているので（ＳＡ５；ＹＥＳ）、表示制御部９５は、設定項目情報Ｊ６と、設定項目情報Ｊ６に対応する設定内容情報Ｋ６と、を、例えば、白黒反転させて表示する等して、識別可能に表示させる（ＳＡ６）。
【０１１３】
尚、警告情報ＡＬに対応付けられた設定項目情報及びその設定項目情報に対応する設定項目情報のうちの何れか一つだけを、識別可能に表示させてもよい。また、警告情報ＡＬに対応付けられた設定項目情報及びその設定項目情報に対応する設定項目情報のうち少なくとも一つを識別可能に表示させる方法は、白黒反転させて表示することに限らず、例えば、赤色や太字にして表示させることによって識別可能に表示させてもよい。
【０１１４】
そして、携帯側受信部９４によって無線通信部９２を介して機能設定不可情報ＦＸが受信された場合には（ＳＡ７；ＹＥＳ）、表示制御部９５は、更に、受信された機能設定不可情報ＦＸに基づいて、機能設定不可情報ＦＸに含まれる設定項目情報と、機能設定不可情報ＦＸに含まれる設定項目情報に対応付けられた設定不可情報ＩＭとを対応させて一覧表示画面Ｗ０に含めて表示させる（ＳＡ８）。
【０１１５】
具体的には、ステップＳＡ７において、携帯側受信部９４によって図１４に示した機能設定不可情報ＦＸが受信されると、例えば、図１６に示すように、表示制御部９５は、ステップＳＡ８において、機能設定不可情報ＦＸに含まれる設定項目情報Ｊ８〜Ｊ１０と、設定項目情報Ｊ８〜Ｊ１０にそれぞれ対応する設定不可情報ＩＭと、を対応させて一覧表示画面Ｗ０に含めて表示させる。
【０１１６】
このように、上記実施形態の構成によれば、複合機１は、第１機能設定情報Ｆ１に含まれる複数の設定項目情報のうち少なくとも一部の設定項目情報と、少なくとも一部の設定項目情報に対応する設定内容情報とを含む第２機能設定情報Ｆ２を携帯端末装置９に送信することができる。携帯端末装置９では、複合機１から受信した第２機能設定情報Ｆ２に含まれる設定項目情報と、第２機能設定情報Ｆ２に含まれる設定項目情報に対応付けられた設定内容情報とが対応付けて一覧表示画面Ｗ０に一覧表示される。
【０１１７】
このため、ユーザーは、複合機１の操作を行わなくても、また、複合機１の操作を行っている最中であっても、一覧表示画面Ｗ０を見ることによって複合機１に設定されている設定項目のうち少なくとも一部の設定項目とその設定項目に対応する設定内容を容易に把握することができる。
【０１１８】
また、上記実施形態の構成によれば、一覧表示画面Ｗ０に表示される設定項目の数が、設定項目選択部１６によって選択された設定項目情報の数に低減される。このため、一覧表示画面Ｗ０が視認しやすくなり、設定項目とその設定項目に対応する設定内容の確認作業の効率を向上することができる。したがって、例えば、設定内容を確認する必要があると考えられる設定項目を示す設定項目情報だけを選択するように、選択項目情報ＳＩを選択項目記憶部１５に記憶することによって、一覧表示画面Ｗ０に表示される内容を、設定内容を確認する必要があると考えられる設定項目とその設定項目に対応する設定内容のみに制限して、設定内容の確認作業の効率を向上することができる。
【０１１９】
例えば、ソートやステープル等の後処理部３に備えられた機能を制御するための設定項目を示す設定項目情報が、選択項目情報ＳＩによって選択する対象とされている設定項目情報として含まれている場合に、複合機１が後処理部３を備えていないときや、後処理部３が複合機１から離脱されたときは、後処理部３に備えられた機能を制御するための設定項目に対応する設定内容を設定不可能な状態になる。このとき、後処理部３に備えられた機能を制御するための設定項目を示す設定項目情報とその設定項目情報に対応する設定内容情報が設定情報記憶部１２に記憶されなくなる虞がある。
【０１２０】
このような場合、上記実施形態の構成によれば、選択項目情報ＳＩによって選択する対象とされている設定項目情報のうち、第１機能設定情報Ｆ１に含まれる設定項目情報とは異なる設定項目情報と、その設定項目情報によって示される設定項目が存在しないことを示す情報である設定不可情報ＩＭとが対応付けられた機能設定不可情報ＦＸが、携帯端末装置９に送信される。そして、一覧表示画面Ｗ０には、機能設定不可情報ＦＸに含まれる設定項目情報と機能設定不可情報ＦＸに含まれる設定項目情報に対応する設定不可情報ＩＭとが対応付けられて一覧表示画面Ｗ０に表示される。
【０１２１】
このため、ユーザーは、一覧表示画面Ｗ０に表示された設定不可情報ＩＭを視認することによって、当該設定不可情報ＩＭに対応する設定項目に対応する設定内容を設定不可能であることを容易に把握することができる。
【０１２２】
また、上記実施形態の構成によれば、ユーザーは、一覧表示画面Ｗ０に識別可能に表示されている、設定項目情報とその設定項目情報に対応する設定内容情報のうち少なくとも一つを視認することによって、複合機１において、その設定項目情報によって示される設定項目に対応する設定内容が、初期値とは異なる設定内容に設定されていることを容易に把握することができる。
【０１２３】
また、上記実施形態の構成によれば、複合機１が異なっても、各複合機１の選択項目記憶部１５には、それぞれ同じ選択項目情報ＳＩが記憶されているので、一覧表示画面Ｗ０には、同じ選択項目情報ＳＩによって選択する対象とされている、同じ設定項目情報及びその設定項目情報に対応する設定内容情報が表示される。したがって、設定内容情報の確認を行うための操作方法が複合機１毎に異なる場合であっても、ユーザーは、各操作方法に精通する必要はなく、通信対象受付部９３によって受け付けられた通信対象の複合機１における、選択項目情報ＳＩによって選択する対象とされている同じ設定項目情報及びその設定項目情報に対応する設定内容情報を容易に確認することができる。
【０１２４】
また、上記実施形態の構成によれば、入力受付部１３によって何れかの設定項目に対応する設定内容情報の入力操作が受け付けられると、設定情報更新部１４によって、設定情報記憶部１２に記憶された何れかの設定項目に対応する設定内容情報が、当該受け付けられた設定内容情報に更新される。したがって、当該更新された設定内容情報が第２機能設定情報Ｆ２に含まれる場合には、当該更新された設定内容情報が機能設定情報送信部１７によって携帯端末装置９に送信される。この場合、ユーザーは、一覧表示画面Ｗ０に表示された当該更新された設定内容情報を目視することによって、当該更新された設定内容情報に対応する設定項目情報によって示される設定項目の設定内容が複合機１において更新されたことを把握することができる。
【０１２５】
以下では、一覧表示画面Ｗ０に表示されている設定項目情報とその設定項目情報に対応する設定内容情報との組み合わせのうち、ユーザーによって入力操作された組み合わせを非表示にする動作について説明する。そして、当該説明の中で、非表示対象受付部９６、非表示設定項目送信部９７、非表示設定項目受信部１９、及び選択項目除外部２０について詳述する。
【０１２６】
図１７は、一覧表示画面Ｗ０に表示されている設定項目情報のうち、非表示にする対象の設定項目情報を入力する操作の一例を示す説明図である。図１８は、一覧表示画面に表示された設定項目情報の何れかを非表示にする動作の一例を示すフローチャートであり、（ａ）は、携帯端末装置９における動作の一例を示すフローチャートであり、（ｂ）は、複合機１における動作の一例を示すフローチャートである。図１９は、一覧表示画面Ｗ０に表示された設定項目情報の何れかを非表示にする動作が行われた後の一覧表示画面Ｗ０の一例を示す説明図である。
【０１２７】
非表示対象受付部９６は、例えば、一覧表示画面Ｗ０に表示されている設定項目情報のうちの何れかがダブルタップ操作されると、非表示にする対象の設定項目情報の入力操作が行われたものとして、当該ダブルタップ操作された設定項目情報を非表示にする対象の設定項目情報として受け付ける。
【０１２８】
例えば、図１７は、一覧表示画面Ｗ０に表示されている設定項目情報Ｊ１〜Ｊ４，Ｊ６，Ｊ８〜Ｊ１０のうち、設定項目「用紙選択」を示す設定項目情報Ｊ２がダブルタップ操作されたことを示している。この場合、非表示対象受付部９６は、設定項目「用紙選択」を示す設定項目情報Ｊ２を非表示にする対象の設定項目情報として受け付ける。尚、非表示にする対象の設定項目情報の入力操作は、ダブルタップ操作に限定する趣旨ではなく、非表示にする対象の設定項目情報をタッチしたまま、液晶ディスプレイ９１１の外側へ移動させるスワイプ操作等の操作であってもよい。
【０１２９】
図１８（ａ）に示すように、携帯端末装置９では、非表示対象受付部９６によって非表示にする対象の設定項目情報の入力操作が受け付けられると（ＳＡ２１；ＹＥＳ）、非表示設定項目送信部９７は、無線通信部９２を介して、非表示対象受付部９６によって受け付けられた設定項目情報を非表示設定項目情報として複合機１に送信する（ＳＡ２２）。
【０１３０】
例えば、非表示対象受付部９６によって、設定項目「用紙選択」を示す設定項目情報Ｊ２（図１７）が非表示にする対象の設定項目情報として受け付けられた場合には、非表示設定項目送信部９７は、設定項目「用紙選択」を示す設定項目情報Ｊ２を非表示設定項目情報として複合機１に送信する。
【０１３１】
そして、携帯端末装置９では、ステップＳＡ３以降の処理（図１１）が行われる。
【０１３２】
一方、複合機１では、図１８（ｂ）に示すように、非表示設定項目受信部１９によって、無線通信部８０３を介して、非表示設定項目送信部９７から送信された非表示設定項目情報が受信される。非表示設定項目受信部１９によって、非表示設定項目情報が受信されると（ＳＢ２１；ＹＥＳ）、選択項目除外部２０は、選択項目記憶部１５に記憶されている、非表示設定項目受信部１９によって受信された非表示設定項目情報によって示される設定項目情報を削除する。これによって、選択項目除外部２０は、選択項目情報ＳＩによって選択する対象とされている設定項目情報の中から、非表示設定項目受信部１９によって受信された非表示設定項目情報によって示される設定項目情報を除外する（ＳＢ２２）。
【０１３３】
そして、複合機１では、ステップＳＢ２以降の処理（図１３）が行われる。
【０１３４】
具体的には、ステップＳＢ２１において、非表示設定項目受信部１９によって受信された非表示設定項目情報が、例えば設定項目「用紙選択」を示す設定項目情報Ｊ２（図１７）を示す場合、選択項目除外部２０は、ステップＳＢ２２において、図１４に示したように、選択項目記憶部１５に記憶されている選択項目情報ＳＩによって選択する対象とされている設定項目情報Ｊ１〜Ｊ４、Ｊ８〜Ｊ１０のうち、受信された非表示設定項目情報によって示される設定項目情報Ｊ２を削除する。
【０１３５】
次に、設定項目選択部１６は、ステップＳＢ２（図１３）において、設定情報記憶部１２に記憶されている設定項目情報Ｊ１〜Ｊ７（図１４）を、選択項目情報ＳＩによって選択する対象とされている設定項目を示す設定項目情報Ｊ１，Ｊ３，Ｊ４と、選択項目情報ＳＩによって選択する対象とされている設定項目を示す設定項目情報ではない設定項目情報Ｊ２，Ｊ５〜Ｊ７と、に分類する。
【０１３６】
このため、ステップＳＢ３において、設定項目情報Ｊ２に対応する機能設定情報を用いて処理Ａは実行されない。これによって、ステップＳＣ２において携帯端末装置９に送信される情報Ｖ１（図１４）及びステップＳＣ３において携帯端末装置９に送信される情報Ｖ２（図１４）の何れにも、設定項目情報Ｊ２に対応する機能設定情報が含まれなくなる。
【０１３７】
一方、ステップＳＢ４において、設定項目情報Ｊ２に対応する機能設定情報を用いて処理Ｂが実行される。この場合、図１４に示したように、設定項目情報Ｊ２に対応する設定内容情報Ｋ２は、これに対応する初期設定内容情報Ｌ２と同じであるので、ステップＳＤ２において、携帯端末装置９に送信される情報Ｖ３（図１４）にも、設定項目情報Ｊ２に対応する機能設定情報は含まれなくなる。
【０１３８】
そして、携帯端末装置９において、ステップＳＡ３〜ＳＡ６（図１１）が実行されると、図１９に示すように、第２機能設定情報Ｆ２に基づいて設定項目情報Ｊ１，Ｊ３，Ｊ４，Ｊ６（図１４）と、これに対応する設定内容情報Ｋ１，Ｋ３，Ｋ４，Ｋ６（図１４）と、が対応付けて一覧表示画面Ｗ０に表示され、また、ステップＳＡ７において、機能設定不可情報ＦＸに基づいて、設定項目情報Ｊ８〜Ｊ１０と、設定不可情報ＩＭと、が対応付けて一覧表示画面Ｗ０に表示される。
【０１３９】
別の具体例として、例えば、ステップＳＡ２１（図１８（ａ））において、非表示対象受付部９６によって、設定項目「部数」を示す設定項目情報Ｊ１が非表示にする対象の設定項目情報として受け付けられた場合には、ステップＳＢ２１において、非表示設定項目受信部１９によって、設定項目「部数」を示す設定項目情報Ｊ１が非表示設定項目情報として受信される。この場合、選択項目除外部２０は、ステップＳＢ２２において、選択項目記憶部１５に記憶されている選択項目情報ＳＩによって選択する対象とされている設定項目情報Ｊ１〜Ｊ４、Ｊ８〜Ｊ１０（図１４）のうち、受信された非表示設定項目情報によって示される設定項目情報Ｊ１を削除する。
【０１４０】
次に、設定項目選択部１６は、ステップＳＢ２（図１３）において、設定情報記憶部１２に記憶されている設定項目情報Ｊ１〜Ｊ７（図１４）を、選択項目情報ＳＩによって選択する対象とされている設定項目を示す設定項目情報Ｊ２〜Ｊ４と、選択項目情報ＳＩによって選択する対象とされている設定項目を示す設定項目情報ではない設定項目情報Ｊ１，Ｊ５〜Ｊ７と、に分類する。
【０１４１】
したがって、非表示設定項目情報としての設定項目情報Ｊ１に対応する機能設定情報は、ステップＳＢ３における処理Ａの対象とはならない。これによって、ステップＳＣ２（図１５（ａ））において携帯端末装置９に送信される情報Ｖ１（図１４）及びステップＳＣ３（図１５（ａ））において携帯端末装置９に送信される情報Ｖ２（図１４）の何れにも、設定項目情報Ｊ２に対応する機能設定情報が含まれなくなる。
【０１４２】
一方、非表示設定項目情報としての設定項目情報Ｊ１に対応する機能設定情報は、ステップＳＢ４における処理Ｂの対象となる。この場合、図１４に示したように、設定項目情報Ｊ１に対応する設定内容情報Ｋ１は、これに対応する初期設定内容情報Ｌ１と異なるので、ステップＳＤ２（図１５（ｂ））において、携帯端末装置９に送信される情報Ｖ３（図１４）に、設定項目情報Ｊ１に対応する機能設定情報が含まれるようになる。
【０１４３】
そして、携帯端末装置９において、ステップＳＡ３〜ＳＡ６（図１１）が実行されると、第２機能設定情報Ｆ２に基づいて、設定項目情報Ｊ１〜Ｊ４，Ｊ６（図１４）と、これに対応する設定内容情報Ｋ１〜Ｋ４，Ｋ６（図１４）と、が対応付けて一覧表示画面Ｗ０に表示され、また、ステップＳＡ７において、機能設定不可情報ＦＸに基づいて、設定項目情報Ｊ８〜Ｊ１０と、設定不可情報ＩＭと、が対応付けて一覧表示画面Ｗ０に表示される。
【０１４４】
このように、ステップＳＡ２１（図１８（ａ））において、非表示対象受付部９６によって、非表示にする対象の設定項目情報として受け付けられた設定項目情報であっても、その設定項目情報に対応する設定内容情報が、その設定項目情報に対応する初期設定内容情報と異なっている場合には、その設定項目情報は非表示にならず、初期設定内容情報と異なる設定内容情報と対応させて一覧表示画面Ｗ０に表示される。
【０１４５】
更に別の具体例として、例えば、ステップＳＡ２１（図１８（ａ））において、非表示対象受付部９６によって、設定項目「ステープル」を示す設定項目情報Ｊ８が非表示にする対象の設定項目情報として受け付けられた場合には、ステップＳＢ２１において、非表示設定項目受信部１９によって、設定項目「ステープル」を示す設定項目情報Ｊ８が非表示設定項目情報として、受信される。この場合、選択項目除外部２０は、ステップＳＢ２２において、選択項目記憶部１５に記憶されている選択項目情報ＳＩによって選択する対象とされている設定項目情報Ｊ１〜Ｊ４、Ｊ８〜Ｊ１０（図１４）のうち、受信された非表示設定項目情報によって示される設定項目情報Ｊ８を削除する。
【０１４６】
この場合、ステップＳＢ５（図１３）において、機能設定不可情報送信部１８によって、選択項目情報ＳＩによって選択する対象とされている設定項目を示す設定項目情報のうち、設定情報記憶部１２に記憶されていない設定項目情報Ｊ９，Ｊ１０を用いて、処理Ｃが実行される。つまり、設定項目情報Ｊ８に対応する機能設定情報は、ステップＳＢ５における処理Ｃの対象とはならない。これによって、ステップＳＥ１において携帯端末装置９に送信される機能設定不可情報ＦＸ（図１４）には、設定項目情報Ｊ８に対応する機能設定情報が含まれなくなる。
【０１４７】
そして、携帯端末装置９において、ステップＳＡ３〜ＳＡ６（図１１）が実行されると、第２機能設定情報Ｆ２に基づいて設定項目情報Ｊ１〜Ｊ４，Ｊ６（図１４）と、これに対応する設定内容情報Ｋ１〜Ｋ４，Ｋ６（図１４）と、が対応付けて一覧表示画面Ｗ０に表示され、また、ステップＳＡ７において、機能設定不可情報ＦＸに基づいて、設定項目情報Ｊ９，Ｊ１０と、設定不可情報ＩＭと、が対応付けて一覧表示画面Ｗ０に表示される。
【０１４８】
このように、ステップＳＡ２１（図１８（ａ））において、非表示対象受付部９６によって、非表示にする対象の設定項目情報として受け付けられた設定項目情報であっても、その設定項目情報が設定情報記憶部１２に記憶されていない設定項目情報、即ち、設定が不可能であり、制御部１０による機能の動作制御に用いることができない設定項目を示す設定項目情報である場合には、その設定項目情報は非表示にならず、設定不可情報ＩＭと対応させて一覧表示画面Ｗ０に表示される。
【０１４９】
このように、上記実施形態の構成によれば、ユーザーは、設定内容の確認が不要と考えられる設定項目を示す設定項目情報を非表示にする対象として入力操作することによって、当該設定項目情報が選択項目情報ＳＩによって選択する対象とされている設定項目情報の中から除外される。
【０１５０】
これによって、当該除外が行われた以降は、非表示にする対象として入力された設定項目情報は、設定項目選択部１６によって第２機能設定情報Ｆ２に含まれる少なくとも一部の設定項目情報として選択されることがなくなる。したがって、ユーザーは、設定内容の確認が不要と考えられる設定項目を示す設定項目情報とその設定項目情報に対応する設定内容情報が非表示にされた一覧表示画面Ｗ０を目視することによって、設定内容の確認作業の効率を向上することができる。
【０１５１】
以下では、一覧表示画面Ｗ０が表示されている間に複合機１において更新された設定内容情報を、一覧表示画面Ｗ０に反映させる動作について説明する。そして、当該説明の中で、更新設定情報送信部２１について詳述する。
【０１５２】
図２０は、携帯端末装置９において一覧表示画面Ｗ０の表示を更新する動作の一例を示すフローチャートである。例えば、図２０に示すように、携帯端末装置９では、一覧表示画面Ｗ０が表示されている場合、予め定められた所定の時間が経過する度に（ＳＡ３１；ＹＥＳ）、携帯側受信部９４は、無線通信部９２を介して、ステップＳＡ１（図１１）において通信対象受付部９３によって受け付けられた通信対象の複合機１に対して、更新された機能設定情報の送信を要求する（ＳＡ３２）。尚、予め定められた所定の時間は、例えば、数個の設定項目に対応する設定内容情報を入力するのに要する時間として、数秒程度に予め定められ、不揮発性メモリーに記憶されている。
【０１５３】
図２１は、複合機１における更新された機能設定情報を携帯端末装置９へ送信する動作の一例を示すフローチャートである。図２１に示すように、複合機１では、無線通信部８０３によって、携帯端末装置９からの更新された機能設定情報の送信要求が受信されると（ＳＢ３１；ＹＥＳ）、ステップＳＢ２が実行される（ＳＢ２）。
【０１５４】
図２２は、選択項目記憶部１５、第１機能設定情報Ｆ１が更新された設定情報記憶部１２、及び初期設定情報記憶部１１に記憶されている情報の関係、及び、複合機１から携帯端末装置９に送信される情報の一例を示す説明図である。
【０１５５】
例えば、図２２は、選択項目記憶部１５に、図１４に示したものと同じ選択項目情報ＳＩが記憶されていることを示している。また、図２２は、設定情報記憶部１２には、図１４に示した第１機能設定情報Ｆ１が記憶されていたが、設定情報更新部１４による設定情報更新処理によって、設定項目「部数」に対応する設定内容情報Ｋ１が、設定項目「部数」に対応する初期設定内容情報Ｌ１が示す初期値「１」と同じ「１」に更新されていることを示している。また、図２２は、設定項目「両面／分割」に対応する設定内容情報Ｋ６が、設定情報更新部１４による設定情報更新処理によって、設定項目「両面／分割」に対応する初期設定内容情報Ｌ４が示す初期値「片面→片面」とは異なる「片面→両面」に更新され、設定項目「ページ集約」に対応する設定内容情報Ｋ６が、設定項目「ページ集約」に対応する初期設定内容情報Ｌ６が示す初期値「設定しない」とは異なる「４  ｉｎ  １」に更新されていることを示している。
【０１５６】
以下では、無線通信部８０３によって、携帯端末装置９から更新された機能設定情報の送信要求が受信された場合に、図２２に示すように、選択項目記憶部１５、設定情報記憶部１２、及び初期設定情報記憶部１１に情報が記憶されていたものとして具体的に説明する。
【０１５７】
図２２に示すように、設定情報記憶部１２に記憶されている設定項目情報Ｊ１〜Ｊ４は、選択項目情報ＳＩに含まれている。一方、設定情報記憶部１２に記憶されている設定項目情報Ｊ５〜Ｊ７は、選択項目情報ＳＩに含まれていない。したがって、設定項目選択部１６は、ステップＳＢ２において、設定情報記憶部１２に記憶されている設定項目情報Ｊ１〜Ｊ７を、選択項目情報ＳＩによって選択する対象とされている設定項目を示す設定項目情報Ｊ１〜Ｊ４と、選択項目情報ＳＩによって選択する対象とされている設定項目を示す設定項目情報ではない設定項目情報Ｊ５〜Ｊ７と、に分類する。
【０１５８】
次に、更新設定情報送信部２１は、設定情報記憶部１２に記憶されている第１機能設定情報Ｆ１のうち、ステップＳＢ２において選択項目情報ＳＩによって選択する対象とされている設定項目を示す設定項目情報として分類された設定項目情報Ｊ１〜Ｊ４に対応する機能設定情報を用いて、処理Ｘを実行する（ＳＢ３３）。一方、更新設定情報送信部２１は、設定情報記憶部１２に記憶されている第１機能設定情報Ｆ１のうち、ステップＳＢ２において選択項目情報ＳＩによって選択する対象とされている設定項目を示す設定項目情報ではないとして分類された設定項目情報Ｊ５〜Ｊ７に対応する機能設定情報を用いて、処理Ｙを実行する（ＳＢ３４）。
【０１５９】
図２３は、複合機１における更新された機能設定情報を携帯端末装置９へ送信する動作において実行される処理の一例を示すフローチャートであり、（ａ）は処理Ｘを示すフローチャートであり、（ｂ）は処理Ｙを示すフローチャートである。具体的には、更新設定情報送信部２１は、図２３（ａ）に示すように、ステップＳＢ３３において、以下に説明するステップＳＣ２１〜ＳＣ２４からなる処理Ｘを実行する。更新設定情報送信部２１は、処理Ｘの実行を開始すると、先ず、ステップＳＢ２において選択項目情報ＳＩによって選択する対象とされている設定項目を示す設定項目情報として分類された設定項目情報Ｊ１〜Ｊ４のうち、設定内容情報が更新されている設定項目情報を取得する（ＳＣ２１）。
【０１６０】
図２２に示すように、設定項目情報Ｊ１〜Ｊ４のうち、設定項目情報Ｊ１，Ｊ４は、それぞれに対応付けられた設定内容情報Ｋ１，Ｋ４が更新されている。したがって、更新設定情報送信部２１は、ステップＳＣ２１において、設定項目情報Ｊ１，Ｊ４を取得する。
【０１６１】
そして、更新設定情報送信部２１は、ステップＳＣ２１において取得した設定項目情報Ｊ１，Ｊ４を、更に、設定項目情報Ｊ１，Ｊ４にそれぞれ対応付けられた設定内容情報Ｋ１，Ｋ４が、それぞれに対応する初期設定内容情報Ｌ１，Ｌ４と同じであるか否かによって分類する（ＳＣ２２）。
【０１６２】
図２２に示すように、設定項目情報Ｊ１，Ｊ４にそれぞれ対応付けられた設定内容情報Ｋ１，Ｋ４のうち、設定内容情報Ｋ１は、初期設定内容情報Ｌ１と同じである。また、設定項目情報Ｊ４に対応付けられた設定内容情報Ｋ４は、初期設定内容情報Ｌ４と異なっている。したがって、更新設定情報送信部２１は、ステップＳＣ２２において、設定項目情報Ｊ１，Ｊ４を、設定項目情報に対応付けられた設定内容情報が初期設定内容情報と同じである設定項目情報Ｊ１と、設定項目情報に対応付けられた設定内容情報が初期設定内容情報と異なる設定項目情報Ｊ４とに分類する。
【０１６３】
次に、更新設定情報送信部２１は、図２２に示すように、ステップＳＣ２２において設定項目情報に対応付けられた設定内容情報が初期設定内容情報と同じである設定項目情報として分類した設定項目情報Ｊ１と、これに対応する更新された設定内容情報Ｋ１と、を対応付けた情報Ｕ１を携帯端末装置９に送信する（ＳＣ２３）。
【０１６４】
また、更新設定情報送信部２１は、図２２に示すように、ステップＳＣ２２において設定項目情報に対応付けられた設定内容情報が初期設定内容情報と異なる設定項目情報として分類した設定項目情報Ｊ４と、これに対応する更新された設定内容情報Ｋ４と、警告を示す情報である警告情報ＡＬと、を対応付けた情報Ｕ２を携帯端末装置９に送信する（ＳＣ２４）。
【０１６５】
一方、更新設定情報送信部２１は、図２３（ｂ）に示すように、ステップＳＢ３４において、以下に説明するステップＳＤ２１〜ＳＤ２３からなる処理Ｙを実行する。更新設定情報送信部２１は、処理Ｙの実行を開始すると、先ず、ステップＳＢ２において選択項目情報ＳＩによって選択する対象とされている設定項目を示す設定項目情報ではないとして分類された設定項目情報Ｊ５〜Ｊ７のうち、設定内容情報が更新されている設定項目情報を取得する（ＳＤ２１）。
【０１６６】
図２２に示すように、設定項目情報Ｊ５〜Ｊ７のうち、設定項目情報Ｊ６は、設定項目情報Ｊ６に対応付けられた設定内容情報Ｋ６が更新されている。したがって、更新設定情報送信部２１は、ステップＳＤ２１において、設定項目情報Ｊ６を取得する。
【０１６７】
そして、更新設定情報送信部２１は、ステップＳＤ２１において取得した設定項目情報のうち、その設定項目情報に対応付けられた設定内容情報が、これに対応する初期設定内容情報と異なる設定項目情報を取得する（ＳＤ２２）。
【０１６８】
図２２に示すように、ステップＳＤ２１において取得した設定項目情報Ｊ６に対応付けられた設定内容情報Ｋ６は、初期設定内容情報Ｌ６と異なっている。したがって、更新設定情報送信部２１は、ステップＳＤ２２において、設定項目情報Ｊ６を取得する。
【０１６９】
そして、更新設定情報送信部２１は、図２２に示すように、ステップＳＤ２２において設定項目情報に対応付けられた設定内容情報が初期設定内容情報と異なる設定内容情報として取得した設定項目情報Ｊ６と、これに対応する更新された設定内容情報Ｋ６と、警告情報ＡＬと、を対応付けた情報Ｕ３を携帯端末装置９に送信する（ＳＤ２３）。
【０１７０】
このように、更新設定情報送信部２１は、設定情報更新処理によって更新された設定内容情報とその設定内容情報に対応する設定項目情報とを含む更新設定情報ＦＵとして、上記の情報Ｕ１〜Ｕ３を携帯端末装置９に送信する。
【０１７１】
図２１に戻り、ステップＳＢ３４の実行後は、機能設定不可情報送信部１８によって、選択項目情報ＳＩによって選択する対象とされている設定項目を示す設定項目情報のうち、設定情報記憶部１２に記憶されていない設定項目情報を用いて、処理Ｃが実行される（ＳＢ５）。
【０１７２】
具体的には、図２２に示すように、選択項目情報ＳＩによって選択する対象とされている設定項目を示す設定項目情報Ｊ１〜Ｊ４，Ｊ８〜Ｊ１０のうち、設定情報記憶部１２には、設定項目情報Ｊ８〜Ｊ１０が記憶されていない。したがって、機能設定不可情報送信部１８は、ステップＳＢ５において、選択項目情報ＳＩによって選択する対象とされている設定項目を示す設定項目情報Ｊ１〜Ｊ４，Ｊ８〜Ｊ１０のうち、設定情報記憶部１２に記憶されていない設定項目情報Ｊ８〜Ｊ１０を用いて、処理Ｃを実行する。
【０１７３】
機能設定不可情報送信部１８は、ステップＳＢ５において処理Ｃの実行を開始すると、ステップＳＥ１（図１５（ｃ））を実行し、図２２に示すように、選択項目情報ＳＩによって選択する対象とされている設定項目を示す設定項目情報Ｊ１〜Ｊ４，Ｊ８〜Ｊ１０のうち、設定情報記憶部１２に記憶されていない設定項目情報Ｊ８〜Ｊ１０と、その設定項目情報によって示される設定項目が存在しないことを示す情報である設定不可情報ＩＭと、を対応付けた機能設定不可情報ＦＸを携帯端末装置９に送信する。
【０１７４】
一方、携帯端末装置９では、図２０に示すように、携帯側受信部９４によって無線通信部９２を介して更新設定情報ＦＵが受信されると（ＳＡ３３；ＹＥＳ）、表示制御部９５は、一覧表示画面Ｗ０に表示されている設定内容情報のうち、受信された更新設定情報ＦＵに含まれている設定項目情報と同じ設定項目情報に対応付けられた設定内容情報を、更新設定情報ＦＵに含まれている設定内容情報によって置き換えて表示する（ＳＡ３４）。そして、携帯端末装置９では、ステップＳＡ５以降の処理（図１１）が行われる。
【０１７５】
図２４は、表示内容を更新した後の一覧表示画面Ｗ０の一例を示す説明図である。例えば、ステップＳＡ３３（図２０）において、携帯側受信部９４によって図２２に示した更新設定情報ＦＵが受信されると、表示制御部９５は、図２４に示すように、ステップＳＡ３４において、更新設定情報ＦＵに含まれる情報Ｕ１に基づいて、一覧表示画面Ｗ０に表示されている設定内容情報Ｋ１〜Ｋ６，Ｋ８〜Ｋ１０のうち、情報Ｕ１に含まれる設定項目情報Ｊ１と同じ設定項目情報Ｊ１に対応付けられた設定内容情報Ｋ１を、更新設定情報ＦＵに含まれている設定内容「１」を示す設定内容情報Ｋ１に置き換えて表示する。
【０１７６】
また、表示制御部９５は、更新設定情報ＦＵに含まれる情報Ｕ２に基づいて、情報Ｕ２に含まれる設定項目情報Ｊ４と同じ設定項目情報Ｊ４に対応付けられた設定内容情報Ｋ４を、更新設定情報ＦＵに含まれている設定内容「片面→両面」を示す設定内容情報Ｋ４に置き換えて表示する。また、図２２に示したように、当該情報Ｕ２に含まれる設定項目情報Ｊ４には警告情報ＡＬが対応付けられている。このように、警告情報ＡＬが対応付けられた設定項目情報が存在する場合には（ＳＡ５；ＹＥＳ）、表示制御部９５は、更に、警告情報ＡＬに対応付けられた設定項目情報Ｊ４と、設定項目情報Ｊ４に対応する設定内容情報Ｋ４と、を、例えば、白黒反転させて表示する等して、識別可能に表示させる（ＳＡ６）。
【０１７７】
これと同様にして、表示制御部９５は、更新設定情報ＦＵに含まれる情報Ｕ３に基づいて、情報Ｕ３に含まれる設定項目情報Ｊ６と同じ設定項目情報Ｊ６に対応付けられた設定内容情報Ｋ６を、更新設定情報ＦＵに含まれている設定内容「４  ｉｎ  １」を示す設定内容情報Ｋ６に置き換えて表示する。また、図２２に示したように、当該情報Ｕ３に含まれる設定項目情報Ｊ６には警告情報ＡＬが対応付けられているので（ＳＡ５；ＹＥＳ）、表示制御部９５は、設定項目情報Ｊ６と、設定項目情報Ｊ６に対応する設定内容情報Ｋ６と、を、例えば、白黒反転させて表示する等して、識別可能に表示させる（ＳＡ６）。
【０１７８】
また、携帯側受信部９４によって無線通信部９２を介して機能設定不可情報ＦＸが受信された場合には（ＳＡ７；ＹＥＳ）、表示制御部９５は、更に、携帯側受信部９４によって受信された機能設定不可情報ＦＸに基づいて、機能設定不可情報ＦＸに含まれる設定項目情報と、機能設定不可情報ＦＸに含まれる設定項目情報に対応付けられた設定不可情報ＩＭとを対応させて一覧表示画面Ｗ０に含めて表示させる（ＳＡ８）。
【０１７９】
具体的には、例えば、図２４に示すように、ステップＳＡ７において、携帯側受信部９４によって図２２に示した機能設定不可情報ＦＸが受信されると、表示制御部９５は、ステップＳＡ８において、機能設定不可情報ＦＸに含まれる設定項目情報Ｊ８〜Ｊ１０と、設定項目情報Ｊ８〜Ｊ１０にそれぞれ対応する設定不可情報ＩＭと、を対応させて一覧表示画面Ｗ０に含めて表示させる。
【０１８０】
このように、上記実施形態の構成によれば、設定情報記憶部１２に新たに記憶された設定内容情報とその設定内容情報に対応する設定項目情報とを含む更新設定情報ＦＵが携帯端末装置９に送信される。そして、表示制御部９５によって、一覧表示画面Ｗ０に表示されている設定内容情報のうち、当該更新設定情報ＦＵに含まれている設定項目情報と同じ設定項目情報に対応付けられた設定内容情報が、当該更新設定情報ＦＵに含まれている設定内容情報に置き換えて表示される。
【０１８１】
このため、携帯端末装置９に送信される情報量を、新たに記憶された設定内容情報及びその設定内容情報に対応する設定項目情報の情報量に軽減することができるとともに、一覧表示画面Ｗ０の表示にかかる時間を、一覧表示画面Ｗ０に表示されている設定内容情報のうちの一部の表示を更新させるのにかかる時間に軽減することができる。これによって、複合機１において何れかの設定項目に対応する設定内容情報が更新された場合に、迅速に、複合機１において更新された設定内容情報を一覧表示画面Ｗ０に反映させることができる。
【０１８２】
尚、ステップＳＢ３３（図２１）に代えてステップＳＢ３（図１３）を実行し、ステップＳＢ３４（図２１）に代えてステップＳＢ４（図１３）を実行するように構成してもよい。これに合わせて、携帯端末装置９では、ステップＳＡ３２（図２０）の実行後、ステップＳＡ３３及びステップＳＡ３４を実行せずに、ステップＳＡ３（図１１）以降の処理を実行するように構成してもよい。
【０１８３】
つまり、複合機１から設定情報記憶部１２に新たに記憶された設定内容情報とその設定内容情報に対応する設定項目情報とを含む更新設定情報ＦＵを携帯端末装置９に送信する構成に代えて、一覧表示画面Ｗ０を液晶ディスプレイ９１１に初めて表示させるときの動作と同様に、複合機１から携帯端末装置９に、設定情報記憶部１２に新たに記憶された設定内容情報とその設定内容情報に対応する設定項目情報だけでなく、選択項目情報ＳＩに含まれている設定項目情報であって、設定内容情報が更新されていない設定項目情報に対応する機能設定情報をも含む第２機能設定情報Ｆ２を送信するように構成し、携帯端末装置９では、受信した第２機能設定情報Ｆ２に基づいて、新たに一覧表示画面Ｗ０を表示させるように構成してもよい。
【０１８４】
以下では、一覧表示画面Ｗ０に表示されている設定項目情報とその設定項目情報に対応付けられた設定内容情報との組み合わせの表示順を変更する動作について説明する。そして、当該説明の中で、表示順変更受付部９８及び表示順変更制御部９９について詳述する。
【０１８５】
図２５は、一覧表示画面Ｗ０に表示されている設定項目情報とその設定項目情報に対応する設定内容情報との組み合わせの表示順を変更する操作の一例を示す説明図であり、（ａ）は表示順の変更前の一覧表示画面Ｗ０を示し、（ｂ）は表示順が変更された後の一覧表示画面Ｗ０を示す。
【０１８６】
表示順変更受付部９８は、例えば、一覧表示画面Ｗ０に表示されている設定項目情報とその設定項目情報に対応する設定内容情報との組み合わせのうちの何れかが垂直方向にスワイプ操作されると、スワイプ操作された設定項目情報とその設定項目情報に対応する設定内容情報との組み合わせの表示順の変更操作がなされたものとして、当該スワイプ操作された組み合わせをスワイプ操作終了時に液晶ディスプレイ９１１に触れていた位置に表示させる指示として受け付ける。
【０１８７】
例えば、図２５（ａ）は、ユーザーによって、一覧表示画面Ｗ０に表示されている設定項目情報Ｊ４と設定項目情報Ｊ４に対応する設定内容情報Ｋ４との組み合わせが、設定項目情報Ｊ２と設定項目情報Ｊ２に対応する設定内容情報Ｋ２との組み合わせが表示されている位置まで、垂直方向にスワイプ操作されることを示している。
【０１８８】
この場合、表示順変更受付部９８は、設定項目情報Ｊ４と設定項目情報Ｊ４に対応する設定内容情報Ｋ４との組み合わせの表示順の変更操作がなされたものとして、設定項目情報Ｊ４と設定項目情報Ｊ４に対応する設定内容情報Ｋ４との組み合わせを、設定項目情報Ｊ２と設定項目情報Ｊ２に対応する設定内容情報Ｋ２との組み合わせが表示されている位置に表示させる指示として受け付ける。
【０１８９】
尚、設定項目情報及び設定内容情報の組み合わせの表示順の変更操作は、スワイプ操作に限定する趣旨ではなく、例えば、表示順を変更する対象の組み合わせをタッチ操作した後、そのタッチ操作した組み合わせの表示位置の移動先を選択するために、移動先の位置に現在表示されている組み合わせをタッチ操作する等の複数の操作を行うものであってもよい。
【０１９０】
表示順変更制御部９９は、表示順変更受付部９８によって受け付けられた表示順に基づいて、一覧表示画面Ｗ０に表示されている設定項目情報及び設定内容情報の組み合わせの表示順を変更する。
【０１９１】
例えば、図２５（ａ）に示したように、表示順変更受付部９８によって、設定項目情報Ｊ４と設定項目情報Ｊ４に対応する設定内容情報Ｋ４との組み合わせを、設定項目情報Ｊ２と設定項目情報Ｊ２に対応する設定内容情報Ｋ２との組み合わせが表示されている位置に表示させる指示が受け付けられた場合、表示順変更制御部９９は、図２５（ｂ）に示すように、設定項目情報Ｊ４と設定項目情報Ｊ４に対応する設定内容情報Ｋ４との組み合わせを、設定項目情報Ｊ２と設定項目情報Ｊ２に対応する設定内容情報Ｋ２との組み合わせが表示されていた位置に表示させる。また、表示順変更制御部９９は、これに合わせて、設定項目情報Ｊ２と設定項目情報Ｊ２に対応する設定内容情報Ｋ２との組み合わせ、及び設定項目情報Ｊ３と設定項目情報Ｊ３に対応する設定内容情報Ｋ３との組み合わせの表示位置を、垂直方向下方にシフトして表示させる。
【０１９２】
上記実施形態の構成によれば、ユーザーは、例えば、設定内容情報の確認作業を行う順番に、設定項目情報とその設定項目情報に対応付けられた設定内容情報との組み合わせの表示順を変更操作する等して、意図した表示順で設定項目情報とその設定項目情報に対応付けられた設定内容情報とを表示させることができる。これによって、設定内容情報の確認作業の利便性を向上することができる。
【０１９３】
尚、上記実施形態において図１乃至図２５に示した構成は単なる一例に過ぎず、本発明を当該実施形態に限定する趣旨ではない。
【０１９４】
例えば、ユーザー毎に固有の選択項目情報ＳＩを、それぞれユーザーを識別するためのユーザー識別情報と対応付けて選択項目記憶部１５に記憶するように構成してもよい。これに合わせて、携帯端末装置９に、ユーザーを識別するためのユーザー識別情報を入力操作するための操作画面を設けてもよい。そして、携帯側受信部９４は、ステップＳＡ２（図１１）及びステップＳＡ３２（図２０）において、複合機１に対して機能設定情報の送信を要求する場合に、当該操作画面によって入力されたユーザー識別情報を送信するように構成してもよい。一方、複合機１では、設定項目選択部１６は、ステップＳＢ２（図１３、図２１）において、当該選択項目記憶部１５に記憶されている、ステップＳＢ１（図１３）及びステップＳＢ３１（図２１）で機能設定情報の送信要求とともに受信されたユーザー識別情報に対応付けられた選択項目情報ＳＩを用いるように構成してもよい。
【０１９５】
これと同様に、非表示設定項目送信部９７は、ステップＳＡ２２（図１８（ａ））において非表示設定項目情報を複合機１に送信する場合に、入力されたユーザー識別情報を送信するように構成してもよい。一方、複合機１では、選択項目除外部２０は、ステップＳＢ２２（図１８（ｂ））において、ステップＳＢ２１（図１８（ｂ））で非表示設定項目情報とともに受信されたユーザー識別情報に対応付けられた選択項目情報ＳＩによって選択する対象とされている設定項目情報の中から、受信された非表示設定項目情報によって示される設定項目情報を除外するように構成してもよい。
【０１９６】
また、携帯側制御部９０が、表示順変更受付部９８及び表示順変更制御部９９として機能しないように簡素化して構成してもよい。
【０１９７】
また、各複合機１ａ〜１ｃにそれぞれ備えられた選択項目記憶部１５には、他の複合機１に備えられた選択項目記憶部１５に記憶されている選択項目情報ＳＩとは異なる内容の選択項目情報ＳＩが記憶されていてもよい。
【０１９８】
また、機能設定制御システムＳＹＳは、複合機１を１台だけ備える構成であってもよい。これに合わせて、携帯側制御部９０が、通信対象受付部９３として機能しないように簡素化して構成し、無線通信部９２による通信対象の複合機１を、当該１台の複合機１に固定するように構成してもよい。
【０１９９】
また、ステップＳＣ３（図１５（ａ））、ステップＳＤ２（図１５（ｂ））、ステップＳＣ２４（図２３（ａ））、及びステップＳＤ２３（図２３（ｂ））において、設定内容情報と初期設定内容情報とが異なる設定項目情報に対応付けて警告情報ＡＬを携帯端末装置９に送信しないように簡素化して構成してもよい。これに合わせて、携帯端末装置９では、ステップＳＡ５及びステップＳＡ６（図１１）を実行しないように簡素化して構成してもよい。
【０２００】
また、制御部１０が、機能設定不可情報送信部１８として機能しないように構成して、ステップＳＢ５（図１３、図２１）を実行しないように簡素化して構成してもよい。これに合わせて、携帯端末装置９では、ステップＳＡ７及びステップＳＡ８（図１１）を実行しないように簡素化して構成してもよい。
【０２０１】
また、携帯側制御部９０が、非表示対象受付部９６及び非表示設定項目送信部９７として機能しないように構成し、これに合わせて、制御部１０が、非表示設定項目受信部１９及び選択項目除外部２０として機能しないように簡素化して構成してもよい。
【０２０２】
また、制御部１０は、不揮発性メモリーの記憶領域の一部を選択項目記憶部１５として用いないように簡素化して構成し、設定項目選択部１６として機能しないように構成してもよい。これに合わせて、ステップＳＢ２〜ＳＢ５（図１３）の処理に代えて、機能設定情報送信部１７は、設定情報記憶部１２に記憶されている第１機能設定情報Ｆ１に含まれる全ての設定項目情報と、全ての設定内容情報とを含む第２機能設定情報Ｆ２を、携帯端末装置９に送信するように構成してもよい。
【０２０３】
また、本発明に係る画像形成装置は、上記の複合機に適用される場合の他、機能を制御するための複数の設定項目を有する、コピー機、スキャナー装置、及びファクシミリ装置等の画像形成装置に適用することが可能である。
【符号の説明】
【０２０４】
１ａ〜１ｃ：複合機（画像形成装置）
３        ：後処理部
７        ：操作部
８        ：通信部
９        ：携帯端末装置
１０      ：制御部
１１      ：初期設定情報記憶部
１２      ：設定情報記憶部
１３      ：入力受付部
１４      ：設定情報更新部
１５      ：選択項目記憶部
１６      ：設定項目選択部
１７      ：機能設定情報送信部
１８      ：機能設定不可情報送信部
１９      ：非表示設定項目受信部
２０      ：選択項目除外部
２１      ：更新設定情報送信部
７１      ：タッチパネル装置
９０      ：携帯側制御部
９１      ：タッチパネル装置
９２      ：無線通信部
９３      ：通信対象受付部
９４      ：携帯側受信部
９５      ：表示制御部
９６      ：非表示対象受付部
９７      ：非表示設定項目送信部
９８      ：表示順変更受付部
９９      ：表示順変更制御部
７１１    ：液晶ディスプレイ（表示部）
８０３    ：無線通信部
９１１    ：液晶ディスプレイ（携帯側表示部）
ＡＬ      ：警告情報
Ｆ１      ：第１機能設定情報
Ｆ２      ：第２機能設定情報
ＦＵ      ：更新設定情報
ＦＸ      ：機能設定不可情報
ＩＭ      ：設定不可情報
Ｊ１〜Ｊ１０：設定項目情報
Ｋ１〜Ｋ７：設定内容情報
Ｌ１〜Ｌ７：初期設定内容情報
ＳＩ      ：選択項目情報
ＳＹＳ    ：機能設定制御システム
Ｗ０      ：一覧表示画面
【図１】
2014085924.tif 000003
【図２】
2014085924.tif 000004
【図３】
2014085924.tif 000005
【図４】
2014085924.tif 000006
【図５】
2014085924.tif 000007
【図６】
2014085924.tif 000008
【図７】
2014085924.tif 000009
【図８】
2014085924.tif 000010
【図９】
2014085924.tif 000011
【図１０】
2014085924.tif 000012
【図１１】
2014085924.tif 000013
【図１２】
2014085924.tif 000014
【図１３】
2014085924.tif 000015
【図１４】
2014085924.tif 000016
【図１５】
2014085924.tif 000017
【図１６】
2014085924.tif 000018
【図１７】
2014085924.tif 000019
【図１８】
2014085924.tif 000020
【図１９】
2014085924.tif 000021
【図２０】
2014085924.tif 000022
【図２１】
2014085924.tif 000023
【図２２】
2014085924.tif 000024
【図２３】
2014085924.tif 000025
【図２４】
2014085924.tif 000026
【図２５】
2014085924.tif 000027